(57)【要約】塗布ノズル正面視で、すべての加圧空気流Ｋおよび接着剤流Ｈを垂直方向として互いに並行させ、加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下させる。  接着剤ビートを引伸ばしつつ横方向に振れるウェブを形成するとともに、塗布ノズル底面近傍では、接着剤ビートと４本の加圧空気流との間に非干渉空間Ｑを形成して、接着剤孔開口より吐出した接着剤流による接着剤ビートと加圧空気流とを、互いに非干渉とするとともに、前記非干渉空間Ｑの下方に、接着剤ビートの両側方に、加圧空気流の壁Ｒを形成する。
2014136367.tif 000002
【特許請求の範囲】
【請求項１】
ノズル底面に塗布ラインの進行方向に直交関係で、多数の接着剤孔および多数の加圧空気孔を縦列形成したホットメルト接着剤塗布装置によるホットメルト接着剤塗布方法において、
塗布ノズル底面近傍では、接着剤ビートの左右、前後に、加圧空気流との間に非干渉空間Ｑを形成して互いに非干渉とするともに、
前記非干渉空間Ｑの下方に、接着剤ビートの両側方に、加圧空気流の壁Ｒを形成することを特徴とする、ホットメルト接着剤塗布方法。
【請求項２】
ノズル底面に塗布ラインの進行方向に直交関係で、多数の接着剤孔および多数の加圧空気孔を縦列形成したホットメルト接着剤塗布装置によるホットメルト接着剤塗布方法において、
塗布ノズル正面視で、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
接着剤ビートを引伸ばしつつ横方向に振れるウェブを形成するとともに、塗布ノズル底面近傍では、接着剤ビートと４本の加圧空気流との間に非干渉空間Ｑを形成して、接着剤孔開口より吐出した接着剤流による接着剤ビートと加圧空気流とを、互いに非干渉とするとともに、
前記非干渉空間Ｑの下方に、接着剤ビートの両側方に、加圧空気流の壁Ｒを形成することを特徴とする、ホットメルト接着剤塗布方法。
【請求項３】
ノズル底面に塗布ラインの進行方向に直交関係で、多数の接着剤孔および多数の加圧空気孔を縦列形成したホットメルト接着剤塗布装置によるホットメルト接着剤塗布方法において、
塗布ノズル正面視で、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
接着剤ビートを引伸ばしつつ横方向に振れるウェブを形成するとともに、塗布ノズル底面近傍では、接着剤ビートと４本の加圧空気流との間に非干渉空間Ｑを形成して、接着剤孔開口より吐出した接着剤流による接着剤ビートと加圧空気流とを、互いに非干渉とするとともに、
前記非干渉空間Ｑの下方に、接着剤ビートの両側方に、加圧空気流の壁Ｒを形成し、さらに、
細小孔で且つ直線とした加圧空気孔より、加圧空気を吐出することで、加圧空気流の直進性を増大させ、対向する加圧空気流の収斂位置をより下方位置とすることにより、非干渉空間Ｑを拡大するとともに、
ホットメルト接着剤ビートと加圧空気との接触によるメルトプロー作用範囲を減少さはて、加圧空気の消費量を低減するとともに、作業環境へのホットメルト接着剤の飛散を防止・減少したことを、特徴とする、ホットメルト接着剤塗布方法。
【請求項４】
ノズル底面に塗布ラインの進行方向に直交関係で、多数の接着剤孔および多数の加圧空気孔を縦列形成したホットメルト接着剤塗布装置において、
塗布ノズル正面視で、すべての加圧空気流および接着剤孔１０を垂直方向として互いに並行させ、
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置とするとともに、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成したことを特徴とする、ホットメルト接着剤塗布装置
【請求項５】
ノズル底面に塗布ラインの進行方向に直交関係で、多数の接着剤孔および多数の加圧空気孔を縦列形成したホットメルト接着剤塗布装置において、
塗布ノズル正面視で、すべての加圧空気流および接着剤孔１０を垂直方向として互いに並行させ、
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置とするとともに、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成するとともに、
加圧空気プレートの側方側に加圧空気室を形成し、該加圧空気室と底面との間を貫通孔により、加圧空気孔ｂを形成したことを特徴とする、
ホットメルト接着剤塗布装置。
【請求項６】
加圧空気孔ｂの断面をほぼ０．３ｍｍの円形断面としたことを特徴とする請求項４または請求項５に記載する、ホットメルト接着剤塗布装置。
【発明の詳細な説明】
【技術分野】
【０００１】
本願発明は、ホットメルト接着剤孔からのホットメルト接着剤ビートに、加圧空気孔からの加圧空気を作用させ、ホットメルト接着剤の繊維状ビートを形成しつつ、走行中の塗布ライン上の基材の上面に接着剤塗布面を形成するための、ホットメルト接着剤塗布方法およびホットメルト接着剤塗布装置に関するものである。
【背景技術】
【０００２】
ホットメルト接着剤孔からのホットメルト接着剤ビートに、加圧空気孔からの加圧空気を作用させ、ホットメルト接着剤の繊維状ビートを形成しつつ、走行中の塗布ライン上面の基材に所定ハターンの接着剤を塗布するホットメルト接着剤塗布方法に関して、下記の公知発明が存在する。
【特許文献１】本願出願人の発明にかかる、特開平８−２４３４６１号、特許３６６１０１９号「カーテンファイバー状スプレー塗布装置における塗布ノズル装置」
【特許文献２】特開平１０−１８３４５４号、特許４００８５４７号「メルトブローイング方法および装置。
【０００３】
前記特許文献１の発明は、接着剤孔より吐出する接着剤ビートに加圧空気を作用させることで、接着剤ビートを引伸ばして形成される糸状接着剤ビートは、連続円形パターンで基材の表面に連続塗布されている
前記特許文献２の発明は、第１流体出口の両側方に第２流体出口を位置させて、第１流体出口と第２流体出口とを一直線上に配列して構成することで、メルトブローイングによって繊維または流体糸状体を形成するとともに、第１流体（ホットメルト接着剤ビート）の両側方に、第２流体（加圧ガス、加圧空気）が位置することで、メルトブローイングによるホットメルトファイバーまたはホットメルト糸状体を左右に揺動させることを開示している。
【発明の開示】
【０００４】
特許文献１の発明および特許文献２の発明においては、第１流体（ホットメルト接着剤ビート）に、第２の流体（加圧ガス、加圧空気）が接触することによるメルトブローイングの作用でホットメルト接着剤糸状体（ウエブ）を形成するものであることにより、第１流体（ホットメルト接着剤ビート）に、第２流体（加圧空気等）が接触しスプレー作用で、ホットメルト接着剤ファイバーが周囲に飛散して作業環境を悪化する問題点、および多量の第２流体（加圧空気等）が浪費される問題点がある。
本願発明は、前記の両公知発明における、ホットメルトファイバーの周囲環境への飛散の防止と、前述の第２流体（加圧空気等）の消費量の低減とを目的とする。
請求項１の発明は、ノズル底面に塗布ラインの進行方向に直交関係で、多数の接着剤孔および多数の加圧空気孔を縦列形成したホットメルト接着剤塗布装置によるホットメルト接着剤塗布方法において、塗布ノズル底面近傍では、接着剤ビートの左右、前後に、加圧空気流との間に非干渉空間Ｑを形成して互いに非干渉とするともに、前記非干渉空間Ｑの下方に、接着剤ビートの両側方に、加圧空気流の壁Ｒを形成することを特徴とする、ホットメルト接着剤塗布方法を提供する。
請求項２の発明は、ノズル底面に塗布ラインの進行方向に直交関係で、多数の接着剤孔および多数の加圧空気孔を縦列形成したホットメルト接着剤塗布装置によるホットメルト接着剤塗布方法において、塗布ノズル正面視で、すべての加圧空気流Ｋおよび接着剤流Ｈを垂直方向として互いに並行させ、加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
接着剤ビートを引伸ばしつつ横方向に振れるウェブを形成するとともに、塗布ノズル底面近傍では、接着剤ビートと４本の加圧空気流との間に非干渉空間Ｑを形成して、接着剤孔開口より吐出した接着剤流による接着剤ビートと加圧空気流とを、互いに非干渉とするとともに、前記非干渉空間Ｑの下方に、接着剤ビートの両側方に、加圧空気流の壁Ｒを形成することを特徴とする、ホットメルト接着剤塗布方法を提供する。
請求項３の発明は、請求項２の発明に加えて，細小孔で且つ直線とした加圧空気孔より、加圧空気を吐出することで、加圧空気流の直進性を増大させることにより、
非干渉空間Ｑを拡大するとともに、ホットメルト接着剤ビートと加圧空気との接触によるメルトプロー作用範囲を減少さはて、加圧空気の消費量を低減するとともに、作業環境へのホットメルト接着剤の飛散を防止・減少したことを特徴とする、ホットメルト接着剤塗布方法を提供する。
請求項４の発明は、ノズル底面に塗布ラインの進行方向に直交関係で、多数の接着剤孔および多数の加圧空気孔を縦列形成したホットメルト接着剤塗布装置において、
塗布ノズル正面視で、すべての加圧空気流および接着剤孔１０を垂直方向として互いに並行させ、
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置とするとともに、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成したことを特徴とする、ホットメルト接着剤塗布装置を提供する。
請求項５の発明は、ノズル底面に塗布ラインの進行方向に直交関係で、多数の接着剤孔および多数の加圧空気孔を縦列形成したホットメルト接着剤塗布装置において、
塗布ノズル正面視で、すべての加圧空気流および接着剤孔１０を垂直方向として互いに並行させ、
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置とするとともに、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成するとともに、
加圧空気プレートの側方側に加圧空気室を形成し、該加圧空気室と底面との間を貫通孔により、加圧空気孔ｂを形成したことを特徴とする、ホットメルト接着剤塗布装置を提供する。
本願発明は、接着剤ビートに加圧空気流が接触してメルトブローイングにより接着剤糸状体が形成されるＰゾーンと、ノズル底面との間に、加圧空気流が接着剤流に接触しない非干渉空間Ｑを形成したことにより、接着剤ビートと加圧空気との接触を阻止して、加圧空気によるスプレー作用の範囲を制限することで、加圧空気流の流量を低減しで、加圧空気エネルギーの必要量を低減するとともに、作業環境への接着剤の飛散を低減する効果を有する。
さらに、前記非干渉空間Ｑの下方に位置しているところの、接着剤ビートの左右側方に加圧空気による帯状の壁Ｒを形成したことにより、
接着剤孔開口ａより吐出した接着剤ビートが、加圧空気の作用を受けホットメルト接着剤繊維状ビートとなるとともに、左右方向に揺動しつつ流下するにあたり、左右方向（基材の移送方向と直交方向）に飛散範囲が規制される。
加圧空気およびホットメルト接着剤の消費量が削減されるとともに、メルトブローイングの作用により形成されるホットメルト接着剤ファイバーの作業環境への飛散を防ぐ効果を有する。
また、接着剤孔開口ａより吐出した接着剤ビートは、加圧空気の作用を受けホットメルト接着剤繊維状ビートとなって流下するにあたり、接着剤ビートの両側の加圧空気の壁Ｒの存在により、ホットメルト接着剤繊維状ビート（ウエブ）は、左右方向に揺動して、左右に乱れた繊維状態で基材に着地する。したがって、ホットメルト接着剤繊維状ビートを基材表面にほぼ均一に分布させることができ、加圧空気の直進性を高めることで、基材表面のホットメルト塗布面について、ホットメルトファイバー面の塗布を低減・削減して、ホットメルト接着剤繊維状ビート（ウエブ）のみの塗布面とすることもできる。
【図面の簡単な説明】
【０００５】
【図１】本願発明の原理を示し、塗布しズル装置の大要を示し、ａ図は正面図、ｂ図は底面図、ｃ図は側面図で、対をなす接着剤孔開口ａと４個の加圧空気孔開口ｂとの位置関係を示す。
【図２】本願発明の作用を示し、ａ図は正面視で、接着剤孔の断面位置における縦断面図。ｂ図は側面視で、接着剤孔の断面位置における縦断面図。
【図３】本願発明の第１実施例の塗布しズル装置の大要を示す縦断面図。
【図４】同じく底面図で、対をなす接着剤孔開口ａと４個の加圧空気孔開口ｂとの位置関係を示す。
【図５】同じく側面図。
【図６】同じく正面図。
【図７】接着剤孔開口ａからの接着剤ビートと加圧空気孔開口ｂからの加圧空気との位置関係を示し、塗布しズル装置の長手方向の縦断面図。
【図８】同じく、塗布しズル装置の横断方向の縦断面図で、ａ図は、接着剤孔開口を断面位置とし、ｂ図は、加圧空気孔を断面位置とする。
【図９】塗布ライン上の塗布膜の説明図。
【図１０】本願発明の第１実施例の塗布しズル装置の大要を示す縦断面図。
【図１１】同じく部分断面した側面図。
【図１２】同じく底面視の斜視図で、対をなす接着剤孔開口ａと４個の加圧空気孔開口ｂとの位置関係を示す。
【図１３】同じく、塗布しズル装置の横断方向の縦断面図で、加圧空気孔を断面位置とする。
【図１４】本願第３発明の作用を説明する略図で、ａ図はノズル底面図、ｂ図はノズル正面図、ｃ図は基材面への塗布面を示す。
【図１５】メルトブローイング作用により、繊維状塗布面が併存している場合における、図１４と同様の略図。
【図１６】文献２示される公知技術における第１の流れＦ１と第２の流れＦ２の説明図。
【図１７】同じく、塗布しズル装置の大要を示す縦断面図。
【発明を実施するための最良の形態】
【０００６】
図１および図２を参照して本願発明の原理を説明する。
図１は、本願発明の原理を示し、塗布しズル装置の大要を示し、ａ図は正面図、ｂ図は底面図、ｃ図は側面図で、対をなす接着剤孔開口ａと４個の加圧空気孔開口ｂとの位置関係を示す。
図１のａ図を参照して、塗布ノズル正面視で、すべての加圧空気流Ｋおよび接着剤流Ｈを垂直方向として互いに並行させる。
図１のｂ図を参照して、塗布ノズル底面視で、接着剤孔開口ａを中心とする四角形のそれぞれの角部より加圧空気流Ｋを吐出させて、１個の接着剤流Ｈに対して合計４個の加圧空気孔流Ｋと対をなす構成とする。
図１のｃ図を参照して、加圧空気プレートの加圧空気孔ｂよりの加圧空気流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とする。
図２を参照して、接着剤ビートの両側方のそれぞれの加圧空気流が収斂方向に一体化しつつ流下することにより、塗布ノズル底面近傍では、接着剤ビートと４本の加圧空気流との間に非干渉空間Ｑを形成して互いに非干渉とする。
前記非干渉空間Ｑの下方に位置して、接着剤ビートの左右側方に加圧空気による帯状の壁Ｒを形成される。
前記帯状の壁Ｒは、接着剤ビートを引伸ばしつつ横方向に振れるウェブを形成する。
左右に乱れた繊維状態で基材に着地する。したがって、ホットメルト接着剤繊維状ビートを基材表面にほぼ均一に分布させることができる。
非干渉空間Ｑの形成により、加圧空気流と接着剤ビートとの干渉を削減する個とで、接着剤ファイバーの形成を阻止して、塗布基材の指定範囲外への接着剤飛散、作業環境への接着剤飛散を実質的に防止するとともに、加圧空気供給量を削減して加圧空気供給エネルギーを削減する。
請求項３の発明は、上記の発明において、細小孔で且つ直線とした加圧空気孔より、加圧空気を吐出することで、加圧空気流の直進性を増大させ、対向する加圧空気流の収斂位置をより下方位置とするものである。
実施例においては、加圧空気孔２０を、断面積を、０．１ミリ平方メートルに近い値とする細小孔で且つ直線とすることにより、加圧空気流ｋに直進性を付与して加圧空気孔開口ｂにおける拡散を実質的に皆無として、加圧空気流ｋの指向性を高めている。
加圧空気孔２０の断面形状を例示すると、以下のとおりである。
０．３Φの円形−−−断面積を、０．０７ミリ平方メートル
０．３５Φの円形−−断面積を、０．０９ミリ平方メートル
０．４Φの円形−−−断面積を、０．１２ミリ平方メートル
０．３×０．３の四角形−−−断面積を、０．０９ミリ平方メートル
０．２×０．５の四角形−−−断面積を、０．１ミリ平方メートル
０．３×０．４の四角形−−−断面積を、０．１２ミリ平方メートル
以下、本願発明のホットメルト接着剤塗布装置を、添付図面に示す実施例にもとづいて説明する。
【実施例１】
【０００７】
図５ないし図７を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。
接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。
図８に示す塗布ノズル正面視で、すべての加圧空気孔２０および接着剤孔１０を垂直方向として互いに並行している。
図８を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成している。
実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０９平方ミリメートルとした。
対をなす２個の加圧空気孔２０について、互いに対向方向にほぼ３０度の傾斜で相互間隔を６０度とした。
なお、加圧空気孔２０が傾斜していることで、加圧空気孔２０の加圧空気孔開口ｂは、底面横断方向を長軸とする楕円形である。
加圧空気プレート２の底面の接着剤プレート１側に、ガイド突条を形成して、接着剤孔１０を延長して、接着剤孔開口ａを加圧空気孔開口ｂよりも、突出する構成とした。
図７および図８を参照して、接着剤孔開口ａから吐出した接着剤孔ビートＨａは、塗布ノズル底面から僅かに落下したのちに、加圧空気ｋの作用を受けている。
その結果、接着剤孔ビートＨａには、左右に、収斂した加圧空気ｋが隣接することとなる。
収斂した加圧空気ｋと接触して加圧空気ｋの作用を受けることで、接着剤孔ビートＨａは、引伸ばされてウエブ（接着剤繊維状ビート）Ｈｂとなるとともに、左右に揺動し左右幅が隣接する加圧空気ｋに規制されて、搖動幅は制限されつつ落下し、走行中の基材の表面に着地する。
図９を参照して、接着剤ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡みあった状態である。図９（ｂ）の塗布面Ｈｃは、繊維状ビートが無数の破断曲線が絡みあった状態で形成されている。図９において、（Ｅ）は基材Ｗの移送方向を示している。
上述の実施例においては、加圧空気孔２０の断面を小さくしたことで、加圧空気源の所要エネルギーを従来装置の１／３ないし１／５に低減することができた。
【実施例２】
【０００８】
図１０ないし図１２を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。
接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。
図１０のｂ図に示す塗布ノズル正面視で、すべての加圧空気孔２０および接着剤孔１０を垂直方向として互いに並行している。
図１０のａ図および図１５を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成している。
実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０９平方ミリメートルとした。
対をなす２個の加圧空気孔２０について、互いに対向方向にほぼ３０度の傾斜で相互間隔を６０度とした。
加圧空気プレート２の底面の接着剤プレート１側に、ガイド突条を形成して、接着剤孔１０を延長して、接着剤孔開口ａを加圧空気孔開口ｂよりも、突出する構成とした。
第２実施例においても、第１実施例と同様に、接着剤ビートＨａには、左右に、収斂方向の加圧空気ｋが隣接することとなる。
収斂方向の加圧空気ｋと接触して加圧空気ｋの作用を受けることで、接着剤ビートＨａは、引伸ばされて接着剤ウエブＨｂとなるとともに、左右に揺動し左右幅が隣接する加圧空気ｋに規制されて、搖動幅は制限されつつ落下し、走行中の基材の表面に着地する。
図９を参照して、接着剤ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡みあった状態である。図９（ｂ）の塗布面Ｈｃは、繊維状ビートが無数の破断曲線が絡みあった状態で形成されている。図９において、（Ｅ）は基材Ｗの移送方向を示している。
加圧空気孔２０の断面を小さくしたことで、加圧空気源の所要エネルギーを従来装置の１／３ないし１／５に低減することができることは、第１実施例と同様である。
本願請求項３の発明は、図１４および図１５を参照して、加圧空気の直進性を高めたことで、非干渉空間Ｑの範囲を下方へ拡大するとともに、基材への塗布面近傍における左右に対向する加圧空気の壁Ｒの相互間隔を増大するとともに、基材表面のホットメルト塗布面について、ホットメルトファイバー面（Ｈｄ）の塗布を低減・削減して、ホットメルト接着剤繊維状ビート（ウエブ）のみの塗布面とすることもできる。
また、加圧空気の直進性を変更・選択することで、基材表面のホットメルト塗布面について、図９（ａ）と図９（ｂ）の塗布状態の選択、およびホットメルト接着剤繊維状ビート（ウエブ）のみの塗布面（図１４参照）と、ホットメルト接着剤繊維状ビート（ウエブ）のみの塗布面とホットメルト接着剤ファイバーとの混在（図１５参照）の選択お夜斐゛、ホットメルト接着剤繊維状ビート（ウエブ）に混在するホットメルト接着剤ファイバーの増減を選択できる。
基材の表面の態様［例えば、滑面（ポリエチレンシート）か、租面（不織布）かの差異］に対応して、塗布面Ｈｃの態様を選択することができる。
【産業上の利用可能性】
【０００９】
本願発明は、ホットメルト接着剤塗布装置による基材上へのホットメルト接着剤塗布層の形成にあたり、ホットメルト接着剤の使用量の削減および加圧空気供給量の削減による製造コストの改善に寄与するものである。
【図１】
2014136367.tif 000003
【図２】
2014136367.tif 000004
【図３】
2014136367.tif 000005
【図４】
2014136367.tif 000006
【図５】
2014136367.tif 000007
【図６】
2014136367.tif 000008
【図７】
2014136367.tif 000009
【図８】
2014136367.tif 000010
【図９】
2014136367.tif 000011
【図１０】
2014136367.tif 000012
【図１１】
2014136367.tif 000013
【図１２】
2014136367.tif 000014
【図１３】
2014136367.tif 000015
【図１４】
2014136367.tif 000016
【図１５】
2014136367.tif 000017
【図１６】
2014136367.tif 000018
【図１７】
2014136367.tif 000019
【手続補正書】
【提出日】平成26年7月16日(2014.7.16)
【手続補正１】
【補正対象書類名】明細書
【補正対象項目名】全文
【補正方法】変更
【補正の内容】
【発明の詳細な説明】
【技術分野】  本願発明は、ホットメルト接着剤孔からのホットメルト接着剤ビートに、加圧空気孔からの加圧空気を作用させ、ホットメルト接着剤の繊維状ビートを形成しつつ、走行中の塗布ライン上の基材の上面に接着剤塗布面を形成するための、ホットメルト接着剤塗布方法およびホットメルト接着剤塗布装置に関するものである。
【背景技術】  ホットメルト接着剤孔からのホットメルト接着剤ビートに、加圧空気孔からの加圧空気を作用させ、ホットメルト接着剤の繊維状ビートを形成しつつ、走行中の塗布ライン上面の基材に所定ハターンの接着剤を塗布するホットメルト接着剤塗布方法に関して、下記の公知発明が存在する。
【特許文献１】本願出願人の発明にかかる、特開平８−２４３４６１号、特許３６６１０１９号「カーテンファイバー状スプレー塗布装置における塗布ノズル装置」
【特許文献２】特開平１０−１８３４５４号、特許４００８５４７号「メルトブローイング方法および装置。
【特許文献３】本願出願人の発明にかかる、特開平５−３０９３１００号公開特許公報「ホットメルト接着剤塗布装置」
【特許文献４】本願出願人の発明にかかる特開平６−２５４４４６号公開特許公報「カーテンファイバー状スプレー塗布装置における塗布ノズル装置」
【特許文献５】特開２００４−１９５４３４号公開特許公報「縫い目状パターンの塗布物、粘性流体材料の塗布方法、塗布装置、及びノズル」  特許文献１の発明は、接着剤孔より吐出する接着剤ビートに加圧空気を作用させることで、接着剤ビートを引伸ばして形成される糸状接着剤ビートは、連続円形パターンで基材の表面に連続塗布されている。  前記特許文献２の発明は、第１流体出口の両側方に第２流体出口を位置させて、第１流体出口と第２流体出口とを一直線上に配列して構成することで、メルトブローイングによって繊維または流体糸状体を形成するとともに、第１流体（ホットメルト接着剤ビート）の両側方に、第２流体（加圧ガス、加圧空気）が位置することで、メルトブローイングによるホットメルトファイバーまたはホットメルト糸状体を左右に揺動させることを開示している。  ホットメルトファイバーまたはホットメルト糸状体を左右に揺動させることで横揺れ繊維状とするものであるが、ホットメルトファイバーまたはホットメルト糸状体を左右に、第２流体（加圧ガス、加圧空気）が作用するものであるから、横揺れ作用が不均一となり、塗布面のホットメルト糸状体（ウエブ）の分布は不均一である。  前記特許文献３の発明および前記特許文献４の発明は、接着剤孔より吐出する接着剤ビートに加圧空気孔よりの加圧空気を作用させることで、メルトブローイング作用によりホットメルトファイバーを形成して、基材に、不織布状態のホットメル接着剤の塗布面を構成している。ホットメルトファイバーが微細であり千切れ状態で周囲に飛散していることで作業環境を悪化している。  前記特許文献５の発明は、接着剤孔より吐出する接着剤ビートに加圧空気の流れに衝突させることにより、縫い目状パターンを有する塗布面を基材表面に形成している。  接着剤孔より吐出する接着剤ビートを中心とする四角形のコーナー部分に加圧空気孔を配置して、接着剤孔より吐出する接着剤ビートに対して４方向より加圧空気の流れを衝突させている。
【発明の開示】
特許文献１の発明ないし特許文献５の発明においては、第１流体（ホットメルト接着剤ビート）に、第２の流体（加圧ガス、加圧空気）が衝突、接触することによるメルトブローイングの作用でホットメルトファイバー、ホットメルト接着剤糸状体（ウエブ）を形成するものであることにより、第１流体（ホットメルト接着剤ビート）に、第２流体（加圧空気等）が接触しスプレー作用で、ホットメルト接着剤ファイバーが周囲に飛散して作業環境を悪化する問題点、および多量の第２流体（加圧空気等）が浪費される問題点がある。
本願発明は、前記公知発明における、ホットメルトファイバーの周囲環境への飛散の防止と、前述の第２流体（加圧空気等）の消費量の低減とを目的とする。
さらに、ホットメルト糸状体（ウエブ）の分布が均一塗布面を得ることを課題とする。
請求項１の発明は、ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑを形成して互いに非干渉としたホットメルト接着剤塗布装置によるホットメルト接着剤塗布方法において、
塗布ノズル正面視で、接着剤流Ｈの両側方に加圧空気流Ｋを存在させ、かつ、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
Ｐゾーンにおいては、
接着剤ビートを引伸ばしつつ横方向に振れるウェブを形成するとともに、
接着剤ビートと４本の加圧空気流との間に前記非干渉空間Ｑに連続する第２非干渉空間ＱＡを形成して、接着剤孔開口より吐出した接着剤流による接着剤ビートと加圧空気流とを、互いに非干渉とするとともに、
接着剤ビートの両側方に、前記第２非干渉空間ＱＡを介在させて、加圧空気流の壁Ｒを形成することを特徴とする、ホットメルト接着剤塗布方法を提供する。
請求項２の発明は、請求項１の発明に加えて、細小孔で且つ直線とした加圧空気孔より、加圧空気を吐出することで、加圧空気流の直進性を増大させて対向する加圧空気流の収斂位置をより下方位置とすることにより、第２非干渉空間ＱＡを拡大するとともに、ホットメルト接着剤ビートと加圧空気との接触によるメルトプロー作用範囲を減少させて、加圧空気の消費量を低減するとともに、作業環境へのホットメルト接着剤の飛散を防止・減少したことを特徴とする、ホットメルト接着剤塗布方法を提供する。
請求項３の発明は、ノズル底面に塗布ラインの進行方向に直交関係で、多数の接着剤孔および多数の加圧空気孔を縦列形成し、前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置して、塗布ノズル底面近傍では、接着剤ビートの左右、前後に、加圧空気流との間に非干渉空間Ｑを形成して互いに非干渉としたホットメルト接着剤塗布装置において、
接着剤孔の両側方に加圧空気孔を存在させ、かつ、すべての加圧空気孔および接着剤孔を塗布ノズル正面視で垂直方向として互いに並行させ、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成し、たことを特徴とする、ホットメルト接着剤塗布装置を提供する。
本願発明は、接着剤ビートに加圧空気流が接触してメルトブローイングにより接着剤糸状体が形成されるＰゾーンと、ノズル底面との間に、加圧空気流が接着剤流に接触しない非干渉空間Ｑを形成したことにより、接着剤ビートと加圧空気との接触を阻止して、加圧空気によるスプレー作用の範囲を制限することで、加圧空気流の流量を低減しで、加圧空気エネルギーの必要量を低減するとともに、作業環境への接着剤の飛散を低減する効果を有する。
さらに、前記非干渉空間Ｑの下方に位置しているところの、接着剤ビートの左右側方に加圧空気による帯状の壁Ｒを形成したことにより、
接着剤孔開口ａより吐出した接着剤ビートが、加圧空気の作用を受けホットメルト接着剤繊維状ビートとなるとともに、左右方向に揺動しつつ流下するにあたり、左右方向（基材の移送方向と直交方向）に飛散範囲が規制される。
加圧空気およびホットメルト接着剤の消費量が削減されるとともに、メルトブローイングの作用により形成されるホットメルト接着剤ファイバーの作業環境への飛散を防ぐ効果を有する。
また、ウエブ（ホットメルト接着剤糸状体）が形成されるにあたり、ウエブ（ホットメルト接着剤糸状体）Ｈｂの両側の加圧空気の壁Ｒの存在により、ウエブ（ホットメルト接着剤糸状体）Ｈｂは、左右方向に揺動して、左右に絡み合ったで基材に着地する。したがって、ウエブ（ホットメルト接着剤糸状体）Ｈｂを基材表面にほぼ均一に分布させることができ、基材表面のホットメルト塗布面を横揺れで均一な塗布パターンとする効果を有する。
【図面の簡単な説明】
【図１】塗布ノズル装置の大要を示し、ａ図は正面図、ｂ図は底面図、ｃ図は側面図で、対をなす接着剤孔開口ａと４個の加圧空気孔開口ｂとの位置関係を示す。
【図２】非干渉空間Ｑ、第２非干渉空間ＱＡ、帯状の壁Ｒを示して、本願発明の作用の説明図で、ａ図は正面視で、接着剤孔の断面位置における縦断面図。ｂ図は側面視で、接着剤孔の断面位置における縦断面図。
【図３】本願発明の第１実施例の塗布しズル装置の大要を示す縦断面図。
【図４】同じく底面図で、対をなす接着剤孔開口ａと４個の加圧空気孔開口ｂとの位置関係を示す。
【図５】同じく側面図。
【図６】同じく正面図。
【図７】接着剤孔開口ａからの接着剤ビートと加圧空気孔開口ｂからの加圧空気との位置関係を示し、塗布しズル装置の長手方向の縦断面図。
【図８】同じく、塗布しズル装置の横断方向の縦断面図で、ａ図は、接着剤孔開口を断面位置とし、ｂ図は、加圧空気孔を断面位置とする。
【図９】塗布ライン上の塗布膜の説明図。
【図１０】本願発明の第２実施例の塗布ノズル装置の大要を示し、ａ図は側面視の縦断面図、ｂ図は正面図、ｃ図は底面図である。
【図１１】同じく部分断面した側面図。
【図１２】同じく底面視の斜視図で、対をなす接着剤孔開口ａと４個の加圧空気孔開口ｂとの位置関係を示す。
【図１３】同じく、塗布しズル装置の横断方向の縦断面図で、加圧空気孔を断面位置とする。
【図１４】本願第２発明の作用を説明する略図で、ａ図はノズル底面図、ｂ図はノズル正面図、ｃ図は基材面への塗布面を示す。
【図１５】メルトブローイング作用により、繊維状塗布面が併存している場合における、図１４と同様の略図。
【図１６】文献２示される公知技術における第１の流れＦ１と第２の流れＦ２の説明図。
【図１７】同じく、塗布しズル装置の大要を示す縦断面図。
【発明を実施するための最良の形態】  図１および図２を参照して本願発明の原理を説明する。
図１は、塗布しズル装置の大要を示し、ａ図は正面図、ｂ図は底面図、ｃ図は側面図で、対をなす接着剤孔開口ａと４個の加圧空気孔開口ｂとの位置関係を示す。
図１のａ図を参照して、塗布ノズル正面視で、すべての加圧空気流Ｋおよび接着剤流Ｈを垂直方向として互いに並行させる。
図１のｂ図を参照して、塗布ノズル底面視で、接着剤孔開口ａを中心とする四角形のそれぞれの角部より加圧空気流Ｋを吐出させて、１個の接着剤流Ｈに対して合計４個の加圧空気孔流Ｋと対をなす構成とする。
図１のｃ図を参照して、加圧空気プレートの加圧空気孔ｂよりの加圧空気流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とする。
図２を参照して、塗布ノズル底面近傍のＰ０ゾーンにおいては、接着剤ビートの両側方のそれぞれの加圧空気流が収斂方向に一体化しつつ流下することにより、塗布ノズル底面近傍では、接着剤ビートと４本の加圧空気流との間に非干渉空間Ｑを形成して互いに非干渉とする。
塗布ノズル底面近傍のＰ０ゾーンにつづく、接着剤ビートが形成されるところのＰ１ゾーンにおいては、
前記非干渉空間Ｑの下方に連続して、第２非干渉空間ＱＡが形成されている。即ち、接着剤ビートの左右両側方に位置する加圧空気流Ｋと接着剤ビートＨａとの間に第２非干渉空間ＱＡが介在することで、加圧空気流Ｋと接着剤ビートＨａとは非干渉である。
さらに、Ｐ１ゾーンにつづく、横振れウエブ（ホットメルト接着剤糸状体）Ｈｂを形成するところのＰ２ゾーンにおいては、
接着剤ビートの左右側方に、収斂する前後一対の加圧空気流Ｋにより前記帯状の壁Ｒが形成されている。
該前記帯状の壁Ｒの存在により、落下してＰ２ゾーンに達した接着剤ビートＨａは横振れして、加圧空気による帯状の壁Ｒと接触することで、接着剤ビートを引伸ばしつつ横振れさせて、横振れするウェブＨｂを形成する。
横振れするウェブＨｂは隣接する左右のウエブと絡み合った状態で基材に着地する。
したがって、ホットメルト接着剤繊維状ビートを基材表面にほぼ均一に分布させることができる。
第２非干渉空間ＱＡの形成により、加圧空気流と接着剤ビートとの干渉を削減することで接着剤ファイバーの形成を阻止して、塗布基材の指定範囲外への接着剤飛散、作業環境への接着剤飛散を実質的に防止するとともに、加圧空気供給量を削減して加圧空気供給エネルギーを削減する。
請求項２の発明は、上記の発明において、細小孔で且つ直線とした加圧空気孔より、加圧空気を吐出することで、加圧空気流の直進性を増大させ、対向する加圧空気流の収斂位置をより下方位置とするものである。
実施例においては、加圧空気孔２０を、断面積を、０．１ミリ平方メートルに近い値とする細小孔で且つ直線とすることにより、加圧空気流Ｋに直進性を付与して加圧空気孔開口ｂにおける拡散を実質的に皆無として、加圧空気流Ｋの指向性を高めている。
加圧空気孔２０の断面形状を例示すると、以下のとおりである。
０．３Φの円形−−−断面積を、０．０７ミリ平方メートル
０．３５Φの円形−−断面積を、０．０９ミリ平方メートル
０．４Φの円形−−−断面積を、０．１２ミリ平方メートル
０．３×０．３の四角形−−−断面積を、０．０９ミリ平方メートル
０．２×０．５の四角形−−−断面積を、０．１ミリ平方メートル
０．３×０．４の四角形−−−断面積を、０．１２ミリ平方メートル
以下、本願発明のホットメルト接着剤塗布装置を、添付図面に示す実施例にもとづいて説明する。
【実施例１】  図５ないし図７を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。
接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。
図８に示す塗布ノズル正面視で、すべての加圧空気孔２０および接着剤孔１０を垂直方向として互いに並行している。
図８を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤により形成された接着剤ビートＨｂの下端部の側方に位置して、収斂する方向に形成している。
実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０９平方ミリメートルとした。
対をなす２個の加圧空気孔２０について、互いに対向方向にほぼ３０度の傾斜で相互間隔を６０度とした。
なお、加圧空気孔２０が傾斜していることで、加圧空気孔２０の加圧空気孔開口ｂは、底面横断方向を長軸とする楕円形である。
加圧空気プレート２の底面の接着剤プレート１側に、ガイド突条を形成して、接着剤孔１０を延長して、接着剤孔開口ａを加圧空気孔開口ｂよりも、突出する構成とした。
図７および図８を参照して、接着剤孔開口ａから吐出した接着剤ビートＨａは、塗布ノズル底面近傍のＰ０ゾーンから僅かに落下したＰ１ゾーンにおいては、接着剤ビートＨａは、加圧空気Ｋと接触して繊維状ビ加圧空気Ｋの作用を受けることで、接着剤孔ビートＨａは、引伸ばされてウエブ（接着剤ート）Ｈｂとなる。
さらに、Ｐ２ゾーンに落下することで、左右に、収斂した加圧空気Ｋにより形成される帯状の壁Ｒに隣接することとなる
収斂した加圧空気Ｋによる帯状の壁Ｒと接触して繊維状ビートＨａは、加圧空気Ｋの作用を受けることで、接着剤孔ビートＨａは、引伸ばされてウエブ（接着剤ート）Ｈｂとなるとともに、左右に揺動し左右幅が隣接する加圧空気Ｋに規制されて、搖動幅は制限されつつ落下し、走行中の基材の表面に着地する。
図９を参照して、接着剤ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡みあった状態である。図９（ｂ）の塗布面Ｈｃは、繊維状ビートが無数の破断曲線が絡みあった状態で形成されている。図９において、（Ｅ）は基材Ｗの移送方向を示している。
上述の実施例においては、加圧空気孔２０の断面を小さくしたことで、加圧空気源の所要エネルギーを従来装置の１／３ないし１／５に低減することができた。
【実施例２】  図１０ないし図１２を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。
接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。
図１０のｂ図に示す塗布ノズル正面視で、すべての加圧空気孔２０および接着剤孔１０を垂直方向として互いに並行している。図１０のａ図および図１５を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成している。
実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０９平方ミリメートルとした。
対をなす２個の加圧空気孔２０について、互いに対向方向にほぼ３０度の傾斜で相互間隔を６０度とした。
加圧空気プレート２の底面の接着剤プレート１側に、ガイド突条を形成して、接着剤孔１０を延長して、接着剤孔開口ａを加圧空気孔開口ｂよりも、突出する構成とした。
第２実施例においても、第１実施例と同様に、接着剤ビートＨａには、左右に、互いに前後に収斂する一対の加圧空気Ｋが隣接している。
収斂する一対の加圧空気Ｋにより形成される帯状の壁の作用を受けることで、接着剤ビートＨａは、引伸ばされてウエブＨｂとなるとともに、左右に揺動し左右幅が隣接する帯状の壁に規制されて、搖動幅は制限されつつ、隣接するウエブＨｂは互いに絡み合って落下して、走行中の基材の表面に着地する。
図９を参照して、ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡み合った状態である。図９（ｂ）の塗布面Ｈｃは、ウエブが無数の破断曲線で絡みあった状態で形成されている。図９において、（Ｅ）は基材Ｗの移送方向を示している。
上述の実施例においては、加圧空気孔２０の断面を小さくしたことで、加圧空気源の所要エネルギーを従来装置の１／３ないし１／５に低減することは、第１実施例と同様である。
本願請求項２の発明は、図１４および図１５を参照して、加圧空気の直進性を高めたことで、非干渉空間Ｑの範囲を下方へ拡大するとともに、基材への塗布面近傍における．左右に対向する加圧空気の壁Ｒの相互間隔を増大するとともに、基材表面のホットメルト塗布面について、ホットメルトファイバー面（Ｈｄ）の塗布を低減・削減して、ホットメルト接着剤繊維状ビート（ウエブ）のみの塗布面とすることもできる。
また、加圧空気の直進性を変更・選択することで、基材表面のホットメルト塗布面について、図９（ａ）と図９（ｂ）の塗布状態の選択、およびホットメルト接着剤繊維状ビート（ウエブ）のみの塗布面（図１４参照）と、ホットメルト接着剤繊維状ビート（ウエブ）のみの塗布面とホットメルト接着剤ファイバーとの混在（図１５参照）の選択お夜斐゛、ホットメルト接着剤繊維状ビート（ウエブ）に混在するホットメルト接着剤ファイバーの増減を選択できる。
基材の表面の態様［例えば、滑面（ポリエチレンシート）か、租面（不織布）かの差異］に対応して、塗布面Ｈｃの態様を選択することができる。
【産業上の利用可能性】  本願発明は、ホットメルト接着剤塗布装置による基材上へのホットメルト接着剤塗布層の形成にあたり、ホットメルト接着剤の使用量の削減および加圧空気供給量の削減による製造コストの改善に寄与するものである。
【手続補正２】
【補正対象書類名】特許請求の範囲
【補正対象項目名】全文
【補正方法】変更
【補正の内容】
【特許請求の範囲】
【請求項１】
ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑを形成して互いに非干渉としたホットメルト接着剤塗布装置によるホットメルト接着剤塗布方法において、
塗布ノズル正面視で、接着剤流Ｈの両側方に加圧空気流Ｋを存在させ、かつ、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
接着剤ビートが形成されるところのＰ１ゾーンにおいては、
前記非干渉空間Ｑの下方に連続して、第２非干渉空間ＱＡが形成されて、該第２非干渉空間ＱＡが、接着剤ビートの左右両側方に位置する加圧空気流Ｋと接着剤ビートＨａとの間に、介在することで、加圧空気流Ｋと接着剤ビートＨａとを非干渉とするとともに、
横振れウエブＨｂを形成するところのＰ２ゾーンにおいては、
接着剤ビートの左右側方に、収斂する前後一対の加圧空気流Ｋにより前記帯状の壁Ｒが形成され、該前記帯状の壁Ｒの存在により、落下してＰ２ゾーンに達した接着剤ビートＨａは横振れして、加圧空気による帯状の壁Ｒと接触することで、接着剤ビートを引伸ばしつつ横振れさせて、横振れするウェブＨｂを形成する
ことを特徴とする、ホットメルト接着剤塗布方法。
【請求項２】
ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑを形成して互いに非干渉としたホットメルト接着剤塗布装置によるホットメルト接着剤塗布方法において、
塗布ノズル正面視で、接着剤流Ｈの両側方に加圧空気流Ｋを存在させ、かつ、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とし、接着剤ビートの両側方のそれぞれの加圧空気流が収斂方向に一体化しつつ流下することにより、
接着剤ビートが形成されるところのＰ１ゾーンにおいては、
前記非干渉空間Ｑの下方に連続して、第２非干渉空間ＱＡが形成されて、該第２非干渉空間ＱＡが、接着剤ビートの左右両側方に位置する加圧空気流Ｋと接着剤ビートＨａとの間に、介在することで、加圧空気流Ｋと接着剤ビートＨａとを非干渉とするとともに、
横振れウエブＨｂを形成するところのＰ２ゾーンにおいては、
接着剤ビートの左右側方に、収斂する前後一対の加圧空気流Ｋにより前記帯状の壁Ｒが形成され、該前記帯状の壁Ｒの存在により、落下してＰ２ゾーンに達した接着剤ビートＨａは横振れして、加圧空気による帯状の壁Ｒと接触することで、接着剤ビートを引伸ばしつつ横振れさせて、横振れするウェブＨｂを形成し
さらに、
細小孔で且つ直線とした加圧空気孔より、加圧空気を吐出することで、加圧空気流の直進性を増大させて対向する加圧空気流の収斂位置をより下方位置とすることにより、第２非干渉空間ＱＡを拡大するとともに、ホットメルト接着剤ビートと加圧空気との接触によるメルトプロー作用範囲を減少させて、加圧空気の消費量を低減するとともに、作業環境へのホットメルト接着剤の飛散を防止・減少したことを特徴とする、ホットメルト接着剤塗布方法。
【請求項３】
ノズル底面に塗布ラインの進行方向に直交関係で、多数の接着剤孔および多数の加圧空気孔を縦列形成し、前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置して、塗布ノズル底面近傍では、接着剤ビートの左右、前後に、加圧空気流との間に非干渉空間Ｑを形成して互いに非干渉としたホットメルト接着剤塗布装置において、
接着剤孔の両側方に加圧空気孔を存在させ、かつ、すべての加圧空気孔および接着剤孔を塗布ノズル正面視で垂直方向として互いに並行させ、
加圧空気プレートの加圧空気孔ｂについて、前記接着剤孔開口ａの側方に位置し前後方向に対をなす２個について、互いに接近方向に傾斜させて、その延長線を、接着剤孔開口より吐出する接着剤により形成された接着剤ビートの下端部の側方に位置して、収斂する方向に形成し、たことを特徴とする、ホットメルト接着剤塗布装置。
【手続補正３】
【補正対象書類名】図面
【補正対象項目名】図２
【補正方法】変更
【補正の内容】
【図２】
2014136367.tif 000020
【手続補正４】
【補正対象書類名】図面
【補正対象項目名】図１０
【補正方法】変更
【補正の内容】
【図１０】
2014136367.tif 000021
【手続補正５】
【補正対象書類名】図面
【補正対象項目名】図１４
【補正方法】変更
【補正の内容】
【図１４】
2014136367.tif 000022
【手続補正６】
【補正対象書類名】図面
【補正対象項目名】図１５
【補正方法】変更
【補正の内容】
【図１５】
2014136367.tif 000023
【手続補正書】
【提出日】平成27年5月25日(2015.5.25)
【手続補正１】
【補正対象書類名】明細書
【補正対象項目名】全文
【補正方法】変更
【補正の内容】
【発明の詳細な説明】
【技術分野】
【０００１】
本願発明は、ホットメルト接着剤孔からのホットメルト接着剤ビートに、加圧空気孔からの加圧空気を作用させ、ホットメルト接着剤の繊維状ビートを形成しつつ、走行中の塗布ライン上の基材の上面に接着剤塗布面を形成するための、ホットメルト接着剤塗布方法およびホットメルト接着剤塗布装置に関するものである。
【背景技術】
【０００２】
ホットメルト接着剤孔からのホットメルト接着剤ビートに、加圧空気孔からの加圧空気を作用させ、ホットメルト接着剤の繊維状ビートを形成しつつ、走行中の塗布ライン上面の基材に所定ハターンの接着剤を塗布するホットメルト接着剤塗布方法に関して、下記の公知発明が存在する。
特許文献1:本願出願人の発明にかかる、特開平８―２４３４61号、特許3661019号「カーテンファイバー状スプレー塗布装置における塗布ノズル装置」
特許文献2:特開平10―183454号、特許4008547号「メルトブローイング方法および装置。
特許文献3:本願出願人の発明にかかる、特開平5-3093100号公開特許公報「ホットメルト接着剤塗布装置」
特許文献4: 本願出願人の発明にかかる特開平6-254446号公開特許公報「カーテンファイバー状スプレー塗布装置における塗布ノズル装置」
特許文献5：特開2004−195434号公開特許公報「縫い目状パターンの塗布物、粘性流体材料の塗布方法、塗布装置、及びノズル」
【０００３】
特許文献1の発明は、接着剤孔より吐出する接着剤ビートに加圧空気を作用させることで、接着剤ビートを引伸ばして形成される糸状接着剤ビートは、連続円形パターンで基材の表面に連続塗布されている。
前記特許文献2の発明は、第1流体出口の両側方に第2流体出口を位置させて、第1流体出口と第2流体出口とを一直線上に配列して構成することで、メルトブローイングによって繊維または流体糸状体を形成するとともに、第1流体(ホットメルト接着剤ビート)の両側方に、第2流体(加圧ガス、加圧空気)が位置することで、メルトブローイングによるホットメルトファイバーまたはホットメルト糸状体を左右に揺動させることを開示している。
ホットメルトファイバーまたはホットメルト糸状体を左右に揺動させることで横揺れ繊維状とするものであるが、ホットメルトファイバーまたはホットメルト糸状体を左右に、第２流体（加圧ガス、加圧空気）が作用するものであるから、横揺れ作用が不均一となり、塗布面のホットメルト糸状体（ウエブ）の分布は不均一である。
前記特許文献3の発明および前記特許文献4の発明は、接着剤孔より吐出する接着剤ビートに加圧空気孔よりの加圧空気を作用させることで、メルトブローイング作用によりホットメルトファイバーを形成して、基材に、不織布状態のホットメル接着剤の塗布面を構成している。ホットメルトファイバーが微細であり千切れ状態で周囲に飛散していることで作業環境を悪化している。
前記特許文献5の発明は、接着剤孔より吐出する接着剤ビートに加圧空気の流れに衝突させることにより、縫い目状バターンを有する塗布面を基材表面に形成している。
接着剤孔より吐出する接着剤ビートを中心とする四角形のコーナー部分に加圧空気孔を配置して、接着剤孔より吐出する接着剤ビートに対して接着剤ビートを中心とする放射方向の4方向より加圧空気の流れを衝突させている。
【発明の開示】
【０００４】
特許文献1の発明ないし特許文献5の発明においては、第1流体(ホットメルト接着剤ビート)に、第2の流体(加圧ガス、加圧空気)が衝突、接触することによるメルトブローイングの作用でホットメルトファイバー、ホットメルト接着剤糸状体(ウエブ)を形成するものであることにより、第1流体(ホットメルト接着剤ビート)に、第2流体(加圧空気等)が接触しスプレー作用で、ホットメルト接着剤ファイバーが周囲に飛散して作業環境を悪化する問題点、および多量の第2流体(加圧空気等)が浪費される問題点がある。
本願発明は、前記公知発明における、ホットメルトファイバーの周囲環境への飛散の防止と、前述の第2流体(加圧空気等)の消費量の低減とを目的とする。
【０００５】
請求項1の発明は、ノズル底面に塗布ラインの進行方向に直交関係で、多数の接着剤孔および多数の加圧空気孔を縦列形成し、塗布ノズル底面近傍では、接着剤ビートの左右および前後に、加圧空気流との間に非干渉空間Ｑを形成して互いに非干渉としたホットメルト接着剤塗布装置によるホットメルト接着剤塗布方法において、
塗布ノズル正面視で、接着剤流Ｈの両側方に加圧空気流Ｋを存在させ、かつ、すべての加圧空気流Ｋおよび接着剤流Ｈを垂直方向として互いに並行させ、
加圧空気プレートの加圧空気孔ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの左右両側方に位置して、収斂する方向とし、接着剤ビートの左右両側方のそれぞれの加圧空気流が収斂方向に一体化しつつ流下することにより、
接着剤ビートの左右両側方に、収斂する前後一対の加圧空気流Ｋより帯状の壁Rが形成され、該帯状の壁Ｒの存在により、接着剤ビートは横振れして、加圧空気流による帯状の壁Ｒと接触することで、横振れするウェブＨｂを形成することを特徴とすることを特徴とする、ホットメルト接着剤塗布方法を提供する。
請求項２の発明は、請求項１の発明に加えて、細小孔で且つ直線とした加圧空気孔より、加圧空気を吐出することで、加圧空気流の直進性を増大させて対向する加圧空気流の収斂位置をより下方位置とすることにより、非干渉空間を拡大するとともに、ホットメルト接着剤ビートと加圧空気との接触によるメルトプロー作用範囲を減少させて、加圧空気の消費量を低減するとともに、作業環境へのホットメルト接着剤の飛散を防止・減少したことを特徴とする、ホットメルト接着剤塗布方法を提供する。
請求項3の発明は、ノズル底面に塗布ラインの進行方向に直交関係で、多数の接着剤孔および多数の加圧空気孔を縦列形成し、前記接着剤孔開口ａのそれぞれに、対角線方向に位置して加圧空気プレート3の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを1個の接着剤孔開口と対を構成する配置して、塗布ノズル底面近傍では、接着剤ビートの左右および前後に、加圧空気流との間に非干渉空間Ｑを形成して互いに非干渉としたホットメルト接着剤塗布装置において、
接着剤孔の両側方に加圧空気孔を存在させ、かつ、すべての加圧空気孔および接着剤孔を塗布ノズル正面視で垂直方向として互いに並行させ、
加圧空気プレートの加圧空気孔開口ｂについて、前記接着剤孔開口ａの側方に位置し前後方向に対をなす２個について、互いに接近方向に傾斜させて、その延長線を、接着剤孔開口より吐出する接着剤ビートの下端部の左右両側方に位置して、収斂する方向に形成したことを特徴とする、ホットメルト接着剤塗布装置を提供する。
【０００６】
本願発明は、接着剤ビートに加圧空気流が接触してメルトブローイングにより接着剤糸状体が形成されるゾーンと、ノズル底面との間に、加圧空気流が接着剤流に接触しない非干渉空間Ｑを形成したことにより、接着剤ビートと加圧空気との接触を阻止して、加圧空気によるスプレー作用の範囲を制限することで、加圧空気流の流量を低減しで、加圧空気エネルギーの必要量を低減するとともに、作業環境への接着剤の飛散を低減する効果を有する。
さらに、前記非干渉空間Ｑの下方に位置しているところの、接着剤ビートの左右側方に加圧空気による帯状の壁Rを形成したことにより、
接着剤孔開口ａより吐出した接着剤ビートが、加圧空気の作用を受けホットメルト接着剤繊維状ビートとなるとともに、左右方向に揺動しつつ流下するにあたり、左右方向（基材の移送方向と直交方向）に飛散範囲が規制される。
加圧空気およびホットメルト接着剤の消費量が削減されるとともに、メルトブローイングの作用により形成されるホットメルト接着剤ファイバーの作業環境への飛散を防ぐ効果を有する。
また、ウエブ（ホットメルト接着剤糸状体）が形成されるにあたり、ウエブ（ホットメルト接着剤糸状体）Ｈｂの両側の加圧空気流の壁Rの存在により、ウエブ（ホットメルト接着剤糸状体）Ｈｂは、左右方向に揺動して、左右に絡み合ったで基材に着地する。したがって、ウエブ（ホットメルト接着剤糸状体）Ｈｂを基材表面にほぼ均一に分布させることができ、基材表面のホットメルト塗布面を横揺れで均一な塗布パターンとする効果を有する。
【図面の簡単な説明】
【０００７】
【図１】塗布ノズル装置の大要を示し、ａ図は正面図、ｂ図は底面図、ｃ図は側面図で、対をなす接着剤孔開口ａと４個の加圧空気孔開口ｂとの位置関係を示す。
【図２】本願発明の作用の説明図で、ａ図は正面視で、接着剤孔の断面位置における縦断面図。ｂ図は側面視で、接着剤孔の断面位置における縦断面図。
【図３】本願発明の第1実施例の塗布しズル装置の大要を示す縦断面図。
【図４】同じく底面図で、対をなす接着剤孔開口ａと４個の加圧空気孔開口ｂとの位置関係を示す。
【図５】同じく側面図。
【図６】同じく正面図。
【図７】接着剤孔開口ａからの接着剤ビートと加圧空気孔開口ｂからの加圧空気との位置関係を示し、塗布しズル装置の長手方向の縦断面図。
【図８】同じく、塗布しズル装置の横断方向の縦断面図で、ａ図は、接着剤孔開口を断面位置とし、ｂ図は、加圧空気孔を断面位置とする。
【図９】塗布ライン上の塗布膜の説明図。
【図１０】本願発明の第2実施例の塗布ノズル装置の大要を示し、ａ図は側面視の縦断面図、ｂ図は正面図、ｃ図は底面図である。
【図１１】同じく部分断面した側面図。
【図１２】同じく底面視の斜視図で、対をなす接着剤孔開口ａと４個の加圧空気孔開口ｂとの位置関係を示す。
【図１３】同じく、塗布しズル装置の横断方向の縦断面図で、加圧空気孔を断面位置とする。
【図１４】本願第２発明の作用を説明する略図で、a図はノズル底面図、b図はノズル正面図、c図は基材面への塗布面を示す。
【図１５】メルトブローイング作用により、繊維状塗布面が併存している場合における、図14と同様の略図。
【図１６】文献2示される公知技術における第1の流れF1と第2の流れF2の説明図。
【図１７】同じく、塗布しズル装置の大要を示す縦断面図。
【発明を実施するための最良の形態】
【０００８】
図1および図２を参照して本願発明の原理を説明する。
図1は、塗布しズル装置の大要を示し、ａ図は正面図、ｂ図は底面図、ｃ図は側面図で、対をなす接着剤孔開口ａと４個の加圧空気孔開口ｂとの位置関係を示す。
図1のａ図を参照して、塗布ノズル正面視で、すべての加圧空気流Ｋおよび接着剤流Ｈを垂直方向として互いに並行させる。
図1のｂ図を参照して、塗布ノズル底面視で、接着剤孔開口ａを中心とする四角
形のそれぞれの角部より加圧空気流Ｋを吐出させて、1個の接着剤流Ｈに対して合計４個の加圧空気孔流Ｋと対をなす構成とする。
図1のｃ図を参照して、加圧空気プレートの加圧空気孔開口ｂよりの加圧空気流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とする。
【０００９】
接着剤ビートの両側方のそれぞれの加圧空気流が収斂方向に一体化しつつ流下することにより、塗布ノズル底面近傍では、接着剤ビートと4本の加圧空気流との間に非干渉空間Ｑを形成して互いに非干渉とする。
図２を参照して、前記非干渉空間Ｑの下方に位置して、接着剤ビートの左右両側方に加圧空気流Ｋより帯状の壁Rが形成される。
該前記帯状の壁Rは、接着剤ビートを引伸ばしつつ横振れさせて、横振れするウェブＨｂを形成する。
加圧空気流と接着剤ビートとの干渉を削減することで、接着剤ファィバーの形成を阻止して、塗布基材の指定範囲外への接着剤飛散、作業環境への接着剤飛散を実質的に防止するとともに、加圧空気供給量を削減して加圧空気供給エネルギーを削減する。
【００１０】
請求項２の発明は、上記の発明において、細小孔で且つ直線とした加圧空気孔より、加圧空気を吐出することで、加圧空気流の直進性を増大させ、対向する加圧空気流の収斂位置をより下方位置とするものである。
【００１１】
実施例においては、加圧空気孔20を、断面積を、０．１ミリ平方メートルに近い値とする細小孔で且つ直線とすることにより、加圧空気流Ｋに直進性を付与して加圧空気孔開口ｂにおける拡散を実質的に皆無として、加圧空気流Ｋの指向性を高めている。
加圧空気孔20の断面形状を例示すると、以下のとおりである。
0.3Φの円形---断面積を、０．07ミリ平方メートル
0.35Φの円形--断面積を、０．09ミリ平方メートル
0.4Φの円形---断面積を、０．12ミリ平方メートル
0.3x0.3の四角形---断面積を、０．09ミリ平方メートル
0.2x0.5の四角形---断面積を、０．1ミリ平方メートル
0.3x0.4の四角形---断面積を、０．12ミリ平方メートル
【００１２】
以下、本願発明のホットメルト接着剤塗布装置を、添付図面に示す実施例にもとづいて説明する。
［第１実施例］
【００１３】
図5ないし図7を参照して、塗布ノズル装置Aは、塗布ラインの進行方向に前後関係で、接着剤プレート1を中心として、接着剤プレート1の両側に、加圧空気プレート2,2、カバープレート3,3を、配置して構成されている。
プレート3、2、1、2、3は、締付け具4、4Aによって固定されて、一体化している。
接着剤孔10は、連通路11,12,13を介して接着剤供給口14に連通し、ホットメルト供給源15に通じている。
左右の加圧空気孔20は、連通路23を介して一体化し、連通路24,25を介して加圧空気供給口26に連通している。
加圧空気供給口26には加圧空気供給源27より加圧空気が供給されるよう構成されている。
【００１４】
接着剤プレート1に多数の接着剤孔10を形成して、ノズル底面に塗布ラインの進行方向に直交関係で多数の接着剤孔開口ａを縦列形成し、加圧空気プレート2に多数の加圧空気孔20を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート3の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを1個の接着剤孔開口と対を構成する配置としている。
【００１５】
図8に示す塗布ノズル正面視で、すべての加圧空気孔20および接着剤孔10を垂直方向として互いに並行している。
図8を参照して、加圧空気プレートの加圧空気孔20について、前記接着剤孔開口ａの側方に位置し前後方向に対をなす２個について、互いに接近方向に傾斜させて、その延長線を、接着剤孔開口より吐出する接着剤により形成された接着剤ビートＨｂの下端部の左右両側方に位置して、収斂する方向に形成している。
【００１６】
実施例においては、接着剤孔10は、接着剤プレート1の下部に形成した串状溝と加圧空気プレート2の内面との間の空間で形成し、断面を０.３ｍｍｘ０.３ｍｍの正方形とした。
加圧空気プレート2の側方側に加圧空気室21を形成し、該加圧空気室21と底面との間を直線状に貫通する円形断面の貫通孔により加圧空気孔20を形成し、加圧空気孔20の断面をほぼ０．３mmの円形断面として、断面積ほぼ0.09平方ミリメートルとした。
対をなす２個の加圧空気孔20について、互いに対向方向にほぼ３０度の傾斜で相互間隔を60度とした。
【００１７】
なお、加圧空気孔20が傾斜していることで、加圧空気孔20の加圧空気孔開口ｂは、底面横断方向を長軸とする楕円形である。
加圧空気プレート2の底面の接着剤プレート1側に、ガイド突条を形成して、接着剤孔10を延長して、接着剤孔開口ａを加圧空気孔開口ｂよりも、突出する構成とした。
【００１８】
図7および図8を参照して、接着剤孔開口ａから吐出した接着剤ビートＨａは、
塗布ノズル底面近傍のゾーンから僅かに落下したゾーンにおいては、接着剤ビートＨａは、加圧空気Ｋと接触して繊維状ビ加圧空気Ｋの作用を受けることで、接着剤孔ビートＨａは、引伸ばされてウエブ(接着剤ート)Ｈｂとなる。
さらに落下することで、左右に、収斂した加圧空気流Ｋにより形成される帯状の壁Ｒに隣接することとなる。
【００１９】
収斂した加圧空気流Ｋによる帯状の壁Ｒと接触して繊維状ビートＨａは、加圧空気流Ｋの作用を受けることで、接着剤孔ビートＨａは、引伸ばされてウエブ(接着剤ート)Ｈｂとなるとともに、左右に揺動し左右幅が隣接する加圧空気流Ｋに規制されて、搖動幅は制限されつつ落下し、走行中の基材の表面に着地する。
【００２０】
図9を参照して、接着剤ウエブＨｂによる基材表面上の塗布面Hcは、所定の塗布幅(実施例では25ｍｍ)に規制され、かつ全塗布幅について、所定の塗布幅(実施例では25ｍｍ)に規制され、かつ全塗布幅について、ほぼ均一分布となって形成されている。図9(a)の塗布面Hcは、連続する湾曲曲線が絡みあった状態である。図9(b)の塗布面Hcは、繊維状ビートが無数の破断曲線が絡みあった状態で形成されている。図9において、(E)は基材Wの移送方向を示している。 
【００２１】
上述の実施例においては、加圧空気孔20の断面を小さくしたことで、加圧空気源の所要エネルギーを従来装置の1/3ないし1/5に低減することができた。
［第２実施例］
【００２２】
図10ないし図12を参照して、塗布ノズル装置Aは、塗布ラインの進行方向に前後関係で、接着剤プレート1を中心として、接着剤プレート1の両側に、加圧空気プレート2,2、カバープレート3,3を、配置して構成されている。
プレート3、2、1、2、3は、締付け具4、4Aによって固定されて、一体化している。
接着剤孔10は、連通路11,12,13を介して接着剤供給口14に連通し、ホットメルト供給源15に通じている。
左右の加圧空気孔20は、連通路23を介して一体化し、連通路24,25を介して加圧空気供給口26に連通している。
加圧空気供給口26には加圧空気供給源27より加圧空気が供給されるよう構成されている。
【００２３】
接着剤プレート1に多数の接着剤孔10を形成して、ノズル底面に塗布ラインの進行方向に直交関係で多数の接着剤孔開口ａを縦列形成し、加圧空気プレート2に多数の加圧空気孔20を形成して、ノズル底面に塗布ラインの進行方向に直交関係で多数の加圧空気孔開口ｂを縦列形成している。
【００２４】
前記接着剤孔開口ａのそれぞれに、対角線方向に位置して加圧空気プレート3の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを1個の接着剤孔開口と対を構成する配置としている。
【００２５】
図10のb図に示す塗布ノズル正面視で、すべての加圧空気孔20および接着剤孔10を垂直方向として互いに並行している。
図10のa図および図1５を参照して、加圧空気プレートの加圧空気孔20について、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成している。
【００２６】
実施例においては、接着剤孔10は、接着剤プレート1の下部に形成した串状溝と加圧空気プレート2の内面との間の空間で形成し、断面を０．３ｍｍｘ０．３ｍｍの正方形とした。
加圧空気プレート2の側方側に加圧空気室21を形成し、該加圧空気室21と底面との間を直線状に貫通する円形断面の貫通孔により加圧空気孔20を形成し、加圧空気孔20の断面をほぼ０．３mmの円形断面として、断面積ほぼ0.09平方ミリメートルとした。
【００２７】
対をなす２個の加圧空気孔20について、互いに対向方向にほぼ３０度の傾斜で相互間隔を60度とした。
加圧空気プレート2の底面の接着剤プレート1側に、ガイド突条を形成して、接着剤孔10を延長して、接着剤孔開口ａを加圧空気孔開口ｂよりも、突出する構成とした。
【００２８】
僅かに落下して、接着剤ビートＨａは、加圧空気流Ｋと接触第2実施例においても、第1実施例と同様に、塗布ノズル底面近傍のゾーンからして繊維状ビ加圧空気流Ｋの作用を受けることで、接着剤孔ビートＨａは、引伸ばされてウエブ(接着剤ート)Ｈｂとなる。
【００２９】
さらに、落下することで、左右に、収斂した加圧空気流Ｋにより形成される帯状の壁Ｒに隣接することとなる。
よって、第2実施例においても、第1実施例と同様に、接着剤ビートＨａには、左右に、収斂方向の加圧空気Ｋが隣接することとなる。
【００３０】
収斂方向の加圧空気流Ｋと接触して加圧空気流Ｋの作用を受けることで、接着剤ビートＨａは、引伸ばされて接着剤ウエブＨｂとなるとともに、左右に揺動し左右幅が隣接する加圧空気流Ｋに規制されて、搖動幅は制限されつつ落下し、走行中の基材の表面に着地する。
【００３１】
図9を参照して、接着剤ウエブＨｂによる基材表面上の塗布面Hcは、所定の塗布幅(実施例では25ｍｍ)に規制され、かつ全塗布幅について、所定の塗布幅(実施例では25ｍｍ)に規制され、かつ全塗布幅について、ほぼ均一分布となって形成されている。図9(a)の塗布面Hcは、連続する湾曲曲線が絡みあった状態である。図9(b)の塗布面Hcは、繊維状ビートが無数の破断曲線が絡みあった状態で形成されている。図9において、(E)は基材Wの移送方向を示している。 
加圧空気孔20の断面を小さくしたことで、加圧空気源の所要エネルギーを従来装置の1/3ないし1/5に低減することができることは、第1実施例と同様である。
【００３２】
図14および図15を参照して、加圧空気の直進性を高めたことで、非干渉空間Ｑの範囲を下方へ拡大するとともに、基材への塗布面近傍における.左右に対向する加圧空気の壁Rの相互間隔を増大するとともに、基材表面のホットメルト塗布面について、ホットメルトファイバー面(Hd)の塗布を低減・削減して、ホットメルト接着剤繊維状ビート(ウエブ)のみの塗布面とすることもできる。
【００３３】
また、加圧空気の直進性を変更・選択することで、基材表面のホットメルト塗布面について、図9(a)と図9(b)の塗布状態の選択、およびホットメルト接着剤繊維状ビート(ウエブ)のみの塗布面(図14参照)と、ホットメルト接着剤繊維状ビート(ウエブ)のみの塗布面とホットメルト接着剤ファイバーとの混在(図１５参照)の選択およびホットメルト接着剤繊維状ビート(ウエブ)に混在するホットメルト接着剤ファイバーの増減を選択できる。
基材の表面の態様[例えば、滑面(ポリエチレンシート)か、租面(不織布)かの差異]に対応して、塗布面Hcの態様を選択することができる。
【産業上の利用可能性】
【００３４】
本願発明は、ホットメルト接着剤塗布装置による基材上へのホットメルト接着剤塗布層の形成にあたり、ホットメルト接着剤の使用量の削減および加圧空気供給量の削減による製造コストの改善に寄与するものである。
【符号の説明】
【００３５】
Ｈａ    接着剤ビート
Ｈｂ    接着剤ウエブ
Ｋ      加圧空気流
Ｑ      非干渉空間
Ｒ      帯状の壁
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
ノズル底面に塗布ラインの進行方向に直交関係で、多数の接着剤孔および多数の加圧空気孔を縦列形成し、塗布ノズル底面近傍では、接着剤ビートの左右および前後に、加圧空気流との間に非干渉空間Ｑを形成して互いに非干渉としたホットメルト接着剤塗布装置によるホットメルト接着剤塗布方法において、塗布ノズル正面視で、接着剤流Ｈの両側方に加圧空気流Ｋを存在させ、かつ、すべての加圧空気流Ｋおよび接着剤流Ｈを垂直方向として互いに並行させ、加圧空気プレートの加圧空気孔開口ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの左右両側方に位置して、収斂する方向とし、接着剤ビートの左右両側方のそれぞれの加圧空気流が収斂方向に一体化しつつ流下することにより、接着剤ビートの左右両側方に、収斂する前後一対の加圧空気流Ｋより帯状の壁Rが形成され、該帯状の壁Ｒの存在により、接着剤ビートは横振れして、加圧空気流による帯状の壁Ｒと接触することで、横振れするウェブＨｂを形成することを特徴とする、ホットメルト接着剤塗布方法。
【請求項２】
ノズル底面に塗布ラインの進行方向に直交関係で、多数の接着剤孔および多数の加圧空気孔を縦列形成し、塗布ノズル底面近傍では、接着剤ビートの左右および前後に、加圧空気流との間に非干渉空間Ｑを形成して互いに非干渉としたホットメルト接着剤塗布装置によるホットメルト接着剤塗布方法において、塗布ノズル正面視で、接着剤流Ｈの両側方に加圧空気流Ｋを存在させ、かつ、すべての加圧空気流Ｋおよび接着剤流Ｈを垂直方向として互いに並行させ、加圧空気プレートの加圧空気孔開口ｂよりの加圧空気孔流Ｋについて、前記接着剤孔開口ａの側方に位置し前後方向に対をなす２個について、互いに接近方向に傾斜して、その延長線が、接着剤孔開口より吐出した接着剤流による接着剤ビートの左右両側方に位置して、収斂する方向とし、接着剤ビートの左右両側方のそれぞれの加圧空気流が収斂方向に一体化しつつ流下することにより、接着剤ビートの左右両側方に、収斂する前後一対の加圧空気流Ｋより帯状の壁Rが形成され、該帯状の壁Ｒの存在により、接着剤ビートは横振れして、加圧空気流による帯状の壁Ｒと接触することで、横振れするウェブＨｂを形成するとともに、さらに、細小孔で且つ直線とした加圧空気孔より、加圧空気を吐出することで、加圧空気流の直進性を増大させて対向する加圧空気流の収斂位置をより下方位置とすることにより、非干渉空間を拡大するとともに、ホットメルト接着剤ビートと加圧空気との接触によるメルトプロー作用範囲を減少させて、加圧空気の消費量を低減するとともに、作業環境へのホットメルト接着剤の飛散を防止・減少したことを特徴とする、ホットメルト接着剤塗布方法。
【請求項３】
ノズル底面に塗布ラインの進行方向に直交関係で、多数の接着剤孔および多数の加圧空気孔を縦列形成し、前記接着剤孔開口ａのそれぞれに、対角線方向に位置して加圧空気プレート3の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを1個の接着剤孔開口と対を構成する配置して、塗布ノズル底面近傍では、接着剤ビートの左右および前後に、加圧空気流との間に非干渉空間Ｑを形成して互いに非干渉としたホットメルト接着剤塗布装置において、接着剤孔の両側方に加圧空気孔を存在させ、かつ、すべての加圧空気孔および接着剤孔を塗布ノズル正面視で垂直方向として互いに並行させ、加圧空気プレートの加圧空気孔開口ｂについて、前記接着剤孔開口ａの側方に位置し前後方向に対をなす２個について、互いに接近方向に傾斜させて、その延長線を、接着剤孔開口より吐出する接着剤ビートの下端部の左右両側方に位置して、収斂する方向に形成したことを特徴とする、ホットメルト接着剤塗布装置。 
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑの上部を形成して互いに非干渉としたホットメルト接着剤塗布装置によるホットメルト接着剤塗布方法において、
塗布ノズルの底面視で、接着剤流Ｈを中心とする四角形のコーナー位置に加圧空気流Ｋを存在させて１個の接着剤流Ｈの側方前後に位置する４個の加圧空気流Ｋを対とし、
塗布ノズル正面視で、接着剤流Ｈの両側方に加圧空気流Ｋを存在させ、
かつ、すべての加圧空気流Ｋおよび接着剤流Ｈを垂直方向として互いに並行させ、
前記接着剤孔開口ａの側方に位置し前後方向に対をなす２個の加圧空気孔流Ｋについて、互いに接近方向に傾斜して、その延長線が、接着剤孔開口より吐出した接着剤流による接着剤ビートの側方に位置して、収斂する方向とすることにより、
接着剤ビートの左右両側方の前後に位置している、それぞれの加圧空気流が収斂方向に一体化しつつ流下することで、
接着剤ビートＨａの形成ゾーンにおいて、接着剤ビートの左右、前後に、加圧空気流との間に非干渉空間Ｑの上部に連続する非干渉空間Ｑの下部を形成し、
接着剤ウエブＨｂの形成ゾーンにおいて、接着剤ビートの両側方に、空間を介在させて、加圧空気流の帯状の壁Ｒを形成することを特徴とする、ホットメルト接着剤塗布方法。
【手続補正２】
【補正対象書類名】明細書
【補正対象項目名】全文
【補正方法】変更
【補正の内容】
【発明の詳細な説明】
【技術分野】
【０００１】  本願発明は、ホットメルト接着剤孔からのホットメルト接着剤ビートに、加圧空気孔からの加圧空気を作用させ、ホットメルト接着剤の繊維状ビートを形成しつつ、走行中の塗布ライン上の基材の上面に接着剤塗布面を形成するための、ホットメルト接着剤塗布方法およびホットメルト接着剤塗布装置に関するものである。
【背景技術】
【０００２】  ホットメルト接着剤孔からのホットメルト接着剤ビートに、加圧空気孔からの加圧空気を作用させ、ホットメルト接着剤の繊維状ビートを形成しつつ、走行中の塗布ライン上面の基材に所定ハターンの接着剤を塗布するホットメルト接着剤塗布方法に関して、下記の公知発明が存在する。
特許文献１：本願出願人の発明にかかる、特開平８−２４３４６１号、特許３６６１０１９号「カーテンファイバー状スプレー塗布装置における塗布ノズル装置」
特許文献２：特開平１０−１８３４５４号、特許４００８５４７号「メルトブローイング方法および装置。
特許文献３：本願出願人の発明にかかる、特開平５−３０９３１００号公開特許公報「ホットメルト接着剤塗布装置」
特許文献４：本願出願人の発明にかかる特開平６−２５４４４６号公開特許公報「カーテンファイバー状スプレー塗布装置における塗布ノズル装置」
特許文献５：特開２００４−１９５４３４号公開特許公報「縫い目状パターンの塗布物、粘性流体材料の塗布方法、塗布装置、及びノズル」【０００３】  特許文献１の発明は、接着剤孔より吐出する接着剤ビートに加圧空気を作用させることで、接着剤ビートを引伸ばして形成される糸状接着剤ビートは、連続円形パターンで基材の表面に連続塗布されている。
前記特許文献２の発明は、第１流体出口の両側方に第２流体出口を位置させて、第１流体出口と第２流体出口とを一直線上に配列して構成することで、メルトブローイングによって繊維または流体糸状体を形成するとともに、第１流体（ホットメルト接着剤ビート）の両側方に、第２流体（加圧ガス、加圧空気）が位置することで、メルトブローイングによるホットメルトファイバーまたはホットメルト糸状体を左右に揺動させることを開示している。
ホットメルトファイバーまたはホットメルト糸状体を左右に揺動させることで横揺れ繊維状とするものであるが、ホットメルトファイバーまたはホットメルト糸状体を左右に、第２流体（加圧ガス、加圧空気）が作用するものであるから、横揺れ作用が不均一となり、塗布面のホットメルト糸状体（ウエブ）の分布は不均一である。
前記特許文献３の発明および前記特許文献４の発明は、接着剤孔より吐出する接着剤ビートに加圧空気孔よりの加圧空気を作用させることで、メルトブローイング作用によりホットメルトファイバーを形成して、基材に、不織布状態のホットメル接着剤の塗布面を構成している。ホットメルトファイバーが微細であり千切れ状態で周囲に飛散していることで作業環境を悪化している。
前記特許文献５の発明は、接着剤孔より吐出する接着剤ビートに加圧空気の流れに衝突させることにより、縫い目状バターンを有する塗布面を基材表面に形成している。
接着剤孔より吐出する接着剤ビートを中心とする四角形のコーナー部分に加圧空気孔を配置して、接着剤孔より吐出する接着剤ビートに対して接着剤ビートを中心とする放射方向の４方向より加圧空気の流れを衝突させている。
さらに、前記持許文献３の発明は、接着剤孔より吐出する接着剤ビートに加圧空気の流れに衝突させることにより、縫い目状バターンを有する塗布面を基材表面に形成している。
接着剤孔より吐出する接着剤ビートを中心とする四角形のコーナー部分に加圧空気孔を配置して、接着剤孔より吐出する接着剤ビートに対して４方向より加圧空気の流れを衝突させている。
縦方向の縫い目を形成するため、接着剤孔より吐出する接着剤ビートに対して４方向より加圧空気の流れを衝突させることで、接着剤ビートの基材進行の前方側および後方側に加圧空気流を接触させている。
したがって、基材進行方向には、ホットメルトファイバーの飛散が制限されるとしても、基材進行方向−走行ライン方向と直交方向の飛散を阻止する技術思想は存在しない。作業環境への飛散防止には走行ラインの直交方向の飛散を阻止する必要がある。【０００４】  特許文献１の発明ないし特許文献５の発明においては、第１流体（ホットメルト接着剤ビート）に、第２の流体（加圧ガス、加圧空気）が衝突、接触することによるメルトブローイングの作用でホットメルトファイバー、ホットメルト接着剤糸状体（ウエブ）を形成するものであることにより、第１流体（ホットメルト接着剤ビート）に、第２流体（加圧空気等）が接触しスプレー作用で、ホットメルト接着剤ファイバーが周囲に飛散して作業環境を悪化する問題点、および多量の第２流体（加圧空気等）が浪費される問題点がある。
本願発明は、前記公知発明における、ホットメルトファイバーの周囲環境への飛散の防止と、前述の第２流体（加圧空気等）の消費量の低減とを目的とする。
さらに、ホットメルト糸状体《ウエブ》の分布を均一な塗布面を得ることを目的とする。【０００５】  請求項１の発明は、ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑの上部を形成して互いに非干渉としたホットメルト接着剤塗布装置によるホットメルト接着剤塗布方法において、
塗布ノズルの底面視で、接着剤流Ｈを中心とする四角形のコーナー位置に加圧空気流Ｋを存在させて１個の接着剤流Ｈの側方前後に位置する４個の加圧空気流Ｋを対とし、
塗布ノズル正面視で、接着剤流Ｈの両側方に加圧空気流Ｋを存在させ、
かつ、すべての加圧空気流Ｋおよび接着剤流Ｈを垂直方向として互いに並行させ、
前記接着剤孔開口ａの側方に位置し前後方向に対をなす２個の加圧空気孔流Ｋについて、互いに接近方向に傾斜して、その延長線が、接着剤孔開口より吐出した接着剤流による接着剤ビートの側方に位置して、収斂する方向とすることにより、
接着剤ビートの左右両側方の前後に位置している、それぞれの加圧空気流が収斂方向に一体化しつつ流下することで、
接着剤ビートＨａの形成ゾーンにおいて、接着剤ビートの左右、前後に、加圧空気流との間に非干渉空間Ｑの上部に連続する非干渉空間Ｑの下部を形成し、
接着剤ウエブＨｂの形成ゾーンにおいて、接着剤ビートの両側方に、空間を介在させて、加圧空気流の帯状の壁Ｒを形成することを特徴とする、ホットメルト接着剤塗布方法を提供する。
請求項２の発明は、請求項１の発明に加えて、細小孔で且つ直線とした加圧空気孔より、加圧空気を吐出することで、加圧空気流の直進性を増大させて対向する加圧空気流の収斂位置をより下方位置とすることにより、非干渉空間Ｑの下部を拡大するとともに、ホットメルト接着剤ビートと加圧空気との接触によるメルトプロー作用範囲を減少させて、作業環境へのホットメルト接着剤の飛散を防止・減少したことを特徴とする、ホットメルト接着剤塗布方法を提供する。
請求項３の発明は、ノズル底面に塗布ラインの進行方向に直交関係で、多数の接着剤孔および多数の加圧空気孔を縦列形成し、塗布ノズル底面近傍では、接着剤ビートの左右、前後に、加圧空気流との間に非干渉空間Ｑの上部を形成して互いに非干渉としたホットメルト接着剤塗布装置において、
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置して、
接着剤孔の両側方に加圧空気孔を存在させ、かつ、すべての加圧空気孔および接着剤孔を塗布ノズル正面視で垂直方向として互いに並行させ、
加圧空気プレートの加圧空気孔ｂについて、前記接着剤孔開口ａの側方に位置し前後方向に対をなす２個について、互いに接近方向に傾斜させて、その延長線、はを、接着剤孔開口より吐出する接着剤ビートの側方に位置して、収斂する方向に形成し、
該前記帯状の壁Ｒの存在により、接着剤ビートＨａは横振れして、加圧空気による帯状の壁Ｒと接触することで、
接着剤ビートＨａの形成ゾーンにおいては、接着剤ビートの左右、前後に、加圧空気流との間に非干渉空間Ｑの上部に連続する非干渉空間Ｑの下部を形成し、
接着剤ウエブＨｂの形成ゾーンにおいては、接着剤ビートの両側方に、空間を介在させて、加圧空気流の帯状の壁Ｒを形成することを特徴とする、ホットメルト接着剤塗布装置を提供する。【０００６】  本願発明は、図４、図１４（ｂ）および図１５（ｂ）を参照して、ノズル底面近傍の非干渉空間Ｑの上部に連続して非干渉空間Ｑの下部が形成されている。
該非干渉空間Ｑの下部の存在により、ホットメルト接着剤ビートと加圧空気との接触によるメルトプロー作用範囲を減少させて、作業環境へのホットメルト接着剤の飛散を防止・減少する効果を有する・
非干渉空間Ｑの下方に接着剤ビートＨａが供給されるところの空間について、接着剤孔１０の左右側方２個の加圧空気孔１０より吐出する加圧空気流Ｋにより形成される帯状の壁Ｒが存在することにより、接着剤孔開口ａより吐出した接着剤ビートＨａが、加圧空気の作用を受けホットメルト接着剤繊維状ビートＨｂに変化するにあたり、ホットメルト接着剤繊維状ビートＨｂの左右両側が、帯状の壁Ｒが接触している。
よって、左右方向に揺動しつつ流下するとともに、左右方向（基材の移送方向と直交方向）に飛散範囲が規制される。加圧空気およびホットメルト接着剤の消費量が削減される効果を有する。
さらに、接着剤孔開口ａより吐出した接着剤ビートは、加圧空気の作用を受けホットメルト接着剤繊維状糸状体となって流下するにあたり、加圧空気の壁Ｒの存在により、ホットメルト接着剤繊維状糸状体（ウエブ）は、左右方向に揺動して、左右に乱れた繊維状態で基材に着地する。したがって、ホットメルト接着剤繊維状糸状体（ウエブ）Ｈｂを基材表面にほぼ均一に分布させることができ、加圧空気の直進性を高めることで、基材表面のホットメルト塗布面を、横振れで均一な塗布バターンとする効果を有する。
【図面の簡単な説明】
【０００７】
【図１】塗布ノズル装置の大要を示し、ａ図は正面図、ｂ図は底面図、ｃ図は側面図で、対をなす接着剤孔開口ａと４個の加圧空気孔開口ｂとの位置関係を示す。
【図２】本願発明の作用の説明図で、ａ図は正面視で、接着剤孔の断面位置における縦断面図。ｂ図は側面視で、接着剤孔の断面位置における縦断面図。
【図３】本願発明の第１実施例の塗布しズル装置の大要を示す縦断面図。
【図４】同じく底面図で、対をなす接着剤孔開口ａと４個の加圧空気孔開口ｂとの位置関係を示す。
【図５】同じく側面図。
【図６】同じく正面図。
【図７】接着剤孔開口ａからの接着剤ビートと加圧空気孔開口ｂからの加圧空気との位置関係を示し、塗布しズル装置の長手方向の縦断面図。
【図８】同じく、塗布しズル装置の横断方向の縦断面図で、ａ図は、接着剤孔開口を断面位置とし、ｂ図は、加圧空気孔を断面位置とする。
【図９】塗布ライン上の塗布膜の説明図。
【図１０】本願発明の第２実施例の塗布ノズル装置の大要を示し、ａ図は側面視の縦断面図、ｂ図は正面図、ｃ図は底面図である。
【図１１】同じく部分断面した側面図。
【図１２】同じく底面視の斜視図で、対をなす接着剤孔開口ａと４個の加圧空気孔開口ｂとの位置関係を示す。
【図１３】同じく、塗布しズル装置の横断方向の縦断面図で、加圧空気孔を断面位置とする。
【図１４】本願第２発明の作用を説明する略図で、ａ図はノズル底面図、ｂ図はノズル正面図、ｃ図は基材面への塗布面を示す。
【図１５】メルトブローイング作用により、繊維状塗布面が併存している場合における、図１４と同様の略図。
【図１６】文献２示される公知技術における第１の流れＦ１と第２の流れＦ２の説明図。
【図１７】同じく、塗布しズル装置の大要を示す縦断面図。
【発明を実施するための最良の形態】
【０００８】  図１および図２を参照して本願発明の原理を説明する。
図１は、塗布しズル装置の大要を示し、ａ図は正面図、ｂ図は底面図、ｃ図は側面図で、対をなす接着剤孔開口ａと４個の加圧空気孔開口ｂとの位置関係を示す。
図１のａ図を参照して、塗布ノズル正面視で、すべての加圧空気流Ｋおよび接着剤流Ｈを垂直方向として互いに並行させる。
図１のｂ図を参照して、塗布ノズル底面視で、接着剤孔開口ａを中心とする四角形のそれぞれの角部より加圧空気流Ｋを吐出させて、１個の接着剤流Ｈに対して合計４個の加圧空気孔流Ｋと対をなす構成とする。
図１のｃ図を参照して、加圧空気プレートの加圧空気孔開口ｂよりの加圧空気流Ｋについて、前記接着剤孔開口ａの側方に位置し前後方向に対をなす２個について、互いに接近方向に傾斜して、その延長線が、接着剤孔開口より吐出した接着剤流による接着剤ビートの側方に位置して、収斂する方向とする。【０００９】  接着剤ビートの両側方のそれぞれの加圧空気流が収斂方向に一体化しつつ流下することにより、塗布ノズル底面近傍の非干渉空間Ｑの上部に連続して非干渉空間Ｑの下部が形成されて、接着剤ビートと４本の加圧空気流との間には非干渉空間Ｑの下部が存在して互いに非干渉とする。
図２を参照して、前記非干渉空間Ｑの下部の下方に位置して、接着剤ビートの左右両側方に加圧空気流Ｋより帯状の壁Ｒが形成され、左右帯状の壁Ｒの間には空間が存在して、前記帯状の壁Ｒは、前記空間に位置する接着剤ビートＨａを引伸ばしつつ横振れさせて、横振れするウェブＨｂを形成する。
前記非干渉空間Ｑの下部の存在は、加圧空気流と接着剤ビートとの干渉を削減することで、接着剤ファイバーの形成を阻止して、塗布基材の指定範囲外への接着剤飛散、作業環境への接着剤飛散を実質的に防止するとともに、加圧空気供給量を削減して加圧空気供給エネルギーを削減する。【００１０】  請求項２の発明は、上記の発明において、細小孔で且つ直線とした加圧空気孔より、加圧空気を吐出することで、加圧空気流の直進性を増大させ、対向する加圧空気流の収斂位置をより下方位置とするものである。【００１１】  実施例においては、加圧空気孔２０を、断面積を、０．１ミリ平方メートルに近い値とする細小孔で且つ直線とすることにより、加圧空気流Ｋに直進性を付与して加圧空気孔開口ｂにおける拡散を実質的に皆無として、加圧空気流Ｋの指向性を高めている。
加圧空気孔２０の断面形状を例示すると、以下のとおりである。
０．３Φの円形−−−断面積を、０．０７ミリ平方メートル
０．３５Φの円形−−断面積を、０．０９ミリ平方メートル
０．４Φの円形−−−断面積を、０．１２ミリ平方メートル
０．３×０．３の四角形−−−断面積を、０．０９ミリ平方メートル
０．２×０．５の四角形−−−断面積を、０．１ミリ平方メートル
０．３×０．４の四角形−−−断面積を、０．１２ミリ平方メートル【００１２】  以下、本願発明のホットメルト接着剤塗布装置を、添付図面に示す実施例にもとづいて説明する。
［第１実施例］【００１３】    図５ないし図７を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。【００１４】  接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。
前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。【００１５】  図８に示す塗布ノズル正面視で、すべての加圧空気孔２０及び接着剤孔１０を垂直方向として互いに並行している。
図８を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤により形成された接着剤ビートＨｂの下端部の左右両側方に位置して、収斂する方向に形成している。【００１６】  実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０７平方ミリメートルとした。
対をなす２個の加圧空気孔２０について、互いに対向方向にほぼ３０度の傾斜で相互間隔を６０度とした。【００１７】  なお、加圧空気孔２０が傾斜していることで、加圧空気孔２０の加圧空気孔開口ｂは、底面横断方向を長軸とする楕円形である。
加圧空気プレート２の底面の接着剤プレート１側に、ガイド突条を形成して、接着剤孔１０を延長して、接着剤孔開口ａを加圧空気孔開口ｂよりも、突出する構成とした。【００１８】  図７および図８を参照して、接着剤孔開口ａから吐出した接着剤ビートＨａは、塗布ノズル底面近傍のゾーンから僅かに落下したゾーンにおいては、接着剤ビートＨａは、加圧空気Ｋと接触して加圧空気Ｋの作用を受けることで、接着剤ビートＨａは、引伸ばされてウエブ（ホットメルト接着剤糸状体）Ｈｂとなる。【００１９】  収斂した加圧空気流Ｋによる帯状の壁Ｒと接触して繊維状ビートＨａは、加圧空気流Ｋの作用を受けることで、接着剤孔ビートＨａは、引伸ばされてウエブ（ホットメルト接着剤糸状体）Ｈｂとなるとともに、左右に揺動し左右幅が隣接する加圧空気流Ｋに規制されて、搖動幅は制限されつつ落下し、走行中の基材の表面に着地する。【００２０】  図９を参照して、接着剤ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡みあった状態である。図９（ｂ）の塗布面Ｈｃは、繊維状ビートが無数の破断曲線が絡みあった状態で形成されている。図９において、（Ｅ）は基材Ｗの移送方向を示している。【００２１】上述の実施例においては、加圧空気孔２０の断面を小さくしたことで、加圧空気源の所要エネルギーを従来装置の１／３ないし１／５に低減することができた。
［第２実施例］【００２２】  図１０ないし図１２を参照して、塗布ノズル装置Ａは、塗布ラインの進行方向に前後関係で、接着剤プレート１を中心として、接着剤プレート１の両側に、加圧空気プレート２，２、カバープレート３，３を、配置して構成されている。
プレート３、２、１、２、３は、締付け具４、４Ａによって固定されて、一体化している。
接着剤孔１０は、連通路１１，１２，１３を介して接着剤供給口１４に連通し、ホットメルト供給源１５に通じている。
左右の加圧空気孔２０は、連通路２３を介して一体化し、連通路２４，２５を介して加圧空気供給口２６に連通している。
加圧空気供給口２６には加圧空気供給源２７より加圧空気が供給されるよう構成されている。【００２３】  接着剤プレート１に多数の接着剤孔１０を形成して、ノズル底面に塗布ラインの進行方向に直交関係で多数の接着剤孔開口ａを縦列形成し、加圧空気プレート２に多数の加圧空気孔２０を形成して、ノズル底面に塗布ラインの進行方向に直交関係で多数の加圧空気孔開口ｂを縦列形成している。【００２４】  前記接着剤孔開口ａのそれぞれに、対角線方向に位置して加圧空気プレート３の加圧空気孔開口ｂを位置させて、それぞれの前記接着剤孔開口ａに対してほぼ対角線延長方向で各加圧空気プレートに加圧空気孔開口ｂを位置させることで合計４個の加圧空気孔開口ｂを１個の接着剤孔開口と対を構成する配置としている。【００２５】  図１０のｂ図に示す塗布ノズル正面視で、すべての加圧空気孔２０および接着剤孔１０を垂直方向として互いに並行している。
図１０のａ図および図１５を参照して、加圧空気プレートの加圧空気孔２０について、前記接着剤孔開口ａの側方に位置し前後方向に対をなす２個について、互いに接近方向に傾斜させて、その延長線を、接着剤孔開口より吐出する接着剤ビートの側方に位置して、収斂する方向に形成している。【００２６】  実施例においては、接着剤孔１０は、接着剤プレート１の下部に形成した串状溝と加圧空気プレート２の内面との間の空間で形成し、断面を０．３ｍｍ×０．３ｍｍの正方形とした。
加圧空気プレート２の側方側に加圧空気室２１を形成し、該加圧空気室２１と底面との間を直線状に貫通する円形断面の貫通孔により加圧空気孔２０を形成し、加圧空気孔２０の断面をほぼ０．３ｍｍの円形断面として、断面積ほぼ０．０７平方ミリメートルとした。【００２７】  対をなす２個の加圧空気孔２０について、互いに対向方向にほぼ３０度の傾斜で相互間隔を６０度とした。
加圧空気プレート２の底面の接着剤プレート１側に、ガイド突条を形成して、接着剤孔１０を延長して、接着剤孔開口ａを加圧空気孔開口ｂよりも、突出する構成とした。【００２８】    僅かに落下して、接着剤ビートＨａは、加圧空気流Ｋと接触第２実施例においても、第１実施例と同様に、塗布ノズル底面近傍のゾーンから加圧空気流Ｋの作用を受けることで、接着剤ビートＨａは、引伸ばされてウエブ（ホットメルト接着剤繊維状糸状体）Ｈｂとなる。【００２９】  さらに、落下することで、左右に、収斂した加圧空気流Ｋにより形成される帯状の壁Ｒに隣接することとなる。
よって、第２実施例においても、第１実施例と同様に、接着剤ビートＨａには、左右に、収斂方向の加圧空気Ｋが隣接することとなる。【００３０】  収斂方向の加圧空気流Ｋと接触して加圧空気流Ｋの作用を受けることで、接着剤ビートＨａは、引伸ばされて接着剤ウエブＨｂとなるとともに、左右に揺動し左右幅が隣接する加圧空気流Ｋに規制されて、搖動幅は制限されつつ落下し、走行中の基材の表面に着地する。【００３１】  図９を参照して、接着剤ウエブＨｂによる基材表面上の塗布面Ｈｃは、所定の塗布幅（実施例では２５ｍｍ）に規制され、かつ全塗布幅について、所定の塗布幅（実施例では２５ｍｍ）に規制され、かつ全塗布幅について、ほぼ均一分布となって形成されている。図９（ａ）の塗布面Ｈｃは、連続する湾曲曲線が絡みあった状態である。図９（ｂ）の塗布面Ｈｃは、繊維状ビートが無数の破断曲線が絡みあった状態で形成されている。図９において、（Ｅ）は基材Ｗの移送方向を示している。
加圧空気孔２０の断面を小さくしたことで、加圧空気源の所要エネルギーを従来装置の１／３ないし１／５に低減することができることは、第１実施例と同様である。【００３２】  図１４および図１５を参照して、加圧空気の直進性を高めたことで、非干渉空間Ｑの範囲を下方へ拡大するとともに、基材への塗布面近傍における左右に対向する加圧空気の壁Ｒの相互間隔を増大するとともに、基材表面のホットメルト塗布面について、ホットメルトファイバー面（Ｈｄ）の塗布を低減・削減して、ホットメルト接着剤繊維状糸状体（ウエブ）のみの塗布面とすることもできる。【００３３】  また、加圧空気の直進性を変更・選択することで、基材表面のホットメルト塗布面について、図９（ａ）と図９（ｂ）の塗布状態の選択、およびホットメルト接着剤繊維状糸状体（ウエブ）のみの塗布面（図１４参照）と、ホットメルト接着剤繊維状ビート（ウエブ）のみの塗布面とホットメルト接着剤ファイバーとの混在（図１５参照）の選択およびホットメルト接着剤繊維状糸状体（ウェブ）に混在するホットメルト接着剤ファイバーの増減を選択できる。
基材の表面の態様［例えば、滑面（ポリエチレンシート）か、租面（不織布）かの差異］に対応して、塗布面Ｈｃの態様を選択することができる。
【産業上の利用可能性】
【００３４】  本願発明は、ホットメルト接着剤塗布装置による基材上へのホットメルト接着剤塗布層の形成にあたり、ホットメルト接着剤の使用量の削減および加圧空気供給量の削減による製造コストの改善に寄与するものである。
【符号の説明】
【００３５】Ｈａ    接着剤ビート
Ｈｂ    接着剤ウエブ
Ｋ      加圧空気流
Ｑ      非干渉空間
Ｒ      帯状の壁
【手続補正書】
【提出日】平成28年3月16日(2016.3.16)
【手続補正１】
【補正対象書類名】明細書
【補正対象項目名】０００３
【補正方法】変更
【補正の内容】
【０００３】  特許文献１の発明は、接着剤孔より吐出する接着剤ビートに加圧空気を作用させることで、接着剤ビートを引伸ばして形成される糸状接着剤ビートは、連続円形パターンで基材の表面に連続塗布されている。
前記特許文献２の発明は、第１流体出口の両側方に第２流体出口を位置させて、第１流体出口と第２流体出口とを一直線上に配列して構成することで、メルトブローイングによって繊維または流体糸状体を形成するとともに、第１流体（ホットメルト接着剤ビート）の両側方に、第２流体（加圧ガス、加圧空気）が位置することで、メルトブローイングによるホットメルトファイバーまたはホットメルト糸状体を左右に揺動させることを開示している。
ホットメルトファイバーまたはホットメルト糸状体を左右に揺動させることで横揺れ繊維状とするものであるが、ホットメルトファイバーまたはホットメルト糸状体を左右に、第２流体（加圧ガス、加圧空気）が作用するものであるから、横揺れ作用が不均一となり、塗布面のホットメルト糸状体（ウエブ）の分布は不均一である。
前記特許文献３の発明および前記特許文献４の発明は、接着剤孔より吐出する接着剤ビートに加圧空気孔よりの加圧空気を作用させることで、メルトブローイング作用によりホットメルトファイバーを形成して、基材に、不織布状態のホットメル接着剤の塗布面を構成している。ホットメルトファイバーが微細であり千切れ状態で周囲に飛散していることで作業環境を悪化している。
前記特許文献５の発明は、接着剤孔より吐出する接着剤ビートに加圧空気の流れに衝突させることにより、縫い目状バターンを有する塗布面を基材表面に形成している。
接着剤孔より吐出する接着剤ビートを中心とする四角形のコーナー部分に加圧空気孔を配置して、接着剤孔より吐出する接着剤ビートに対して接着剤ビートを中心とする放射方向の４方向より加圧空気の流れを衝突させている。
【手続補正２】
【補正対象書類名】明細書
【補正対象項目名】０００４
【補正方法】変更
【補正の内容】
【０００４】  特許文献１の発明ないし特許文献５の発明においては、第１流体（ホットメルト接着剤ビート）に、第２の流体（加圧ガス、加圧空気）が衝突、接触することによるメルトブローイングの作用でホットメルトファイバー、ホットメルト接着剤糸状体（ウエブ）を形成するものであることにより、第１流体（ホットメルト接着剤ビート）に、第２流体（加圧空気等）が接触しスプレー作用で、ホットメルト接着剤ファイバーが周囲に飛散して作業環境を悪化する問題点、および多量の第２流体（加圧空気等）が浪費される問題点がある。
本願発明は、前記公知発明における、ホットメルトファイバーの周囲環境への飛散の防止と、前述の第２流体（加圧空気等）の消費量の低減とを目的とする。
【手続補正書】
【提出日】平成28年5月2日(2016.5.2)
【手続補正１】
【補正対象書類名】明細書
【補正対象項目名】０００３
【補正方法】変更
【補正の内容】
【０００３】  特許文献１の発明は、接着剤孔より吐出する接着剤ビートに加圧空気を作用させることで、接着剤ビートを引伸ばして形成される糸状接着剤ビートは、連続円形パターンで基材の表面に連続塗布されている。
前記特許文献２の発明は、第１流体出口の両側方に第２流体出口を位置させて、第１流体出口と第２流体出口とを一直線上に配列して構成することで、メルトブローイングによって繊維または流体糸状体を形成するとともに、第１流体（ホットメルト接着剤ビート）の両側方に、第２流体（加圧ガス、加圧空気）が位置することで、メルトブローイングによるホットメルトファイバーまたはホットメルト糸状体を左右に揺動させることを開示している。
【手続補正２】
【補正対象書類名】明細書
【補正対象項目名】０００４
【補正方法】変更
【補正の内容】
【０００４】  特許文献１の発明および特許文献２の発明においては、第１流体（ホットメルト接着剤ビート）に、第２の流体（加圧ガス、加圧空気）が接触することによるメルトブローイングの作用でホットメルト接着剤糸状体（ウエブ）を形成するものであることにより、第１流体（ホットメルト接着剤ビート）に、第２流体（加圧空気等）が接触しスプレー作用で、ホットメルト接着剤ファイバーが周囲に飛散して作業環境を悪化する問題点、および多量の第２流体（加圧空気等）が浪費される問題点がある。
本願発明は、前記公知発明における、ホットメルトファイバーの周囲環境への飛散の防止と、前述の第２流体（加圧空気等）の消費量の低減とを目的とする。
【国際調査報告】
2014136367.tif 000024
2014136367.tif 000025
2014136367.tif 000026